(57)【特許請求の範囲】
【請求項１】
それぞれが、基板上に設けられ、アノード端子、カソード端子、ゲート端子を備えるとともに、当該アノード端子または当該カソード端子のいずれか一方に予め定められた電位が共通に供給される複数の発光サイリスタと、
前記複数の発光サイリスタのそれぞれの発光サイリスタのアノード端子またはカソード端子のいずれか他方が共通に接続され、前記発光サイリスタに点灯のための電流が供給される点灯信号線と、
前記基板上に設けられ、アノード端子、カソード端子、第１のゲート端子、第２のゲート端子を備え、オフ状態において、当該第１のゲート端子と当該第２のゲート端子との間で予め定められた抵抗値を有し、当該アノード端子または当該カソード端子のいずれか一方に前記電位が供給されるとともに、当該第１のゲート端子が前記複数の発光サイリスタにおいて点灯している発光サイリスタの消灯を指定する指定信号を受信する指定信号端子に接続され、当該第２のゲート端子が前記点灯信号線に接続され、当該指定信号により消灯が指定されるとオフ状態からオン状態に移行して、当該点灯している発光サイリスタを消灯する消灯サイリスタと、
前記基板上に設けられ、アノード端子、カソード端子、ゲート端子を備え、当該アノード端子または当該カソード端子のいずれか一方に前記電位が共通に供給されるとともに、当該アノード端子または当該カソード端子のいずれか他方が電流制限抵抗を介して前記指定信号端子に接続され、当該ゲート端子が当該消灯サイリスタのアノード端子またはカソード端子のいずれか他方に接続され、前記消灯信号による消灯の指定が解除されるとオフ状態からオン状態に移行して、オン状態の当該消灯サイリスタをオフ状態に移行させる駆動サイリスタと
を備える発光チップ。
【請求項２】
前記電位と異なる予め定められた他の電位が供給される電源線をさらに備え、前記点灯信号線は、他の電流制限抵抗を介して、当該電源線に接続されていることを特徴とする請求項１に記載の発光チップ。
【請求項３】
前記駆動サイリスタは、他のゲート端子をさらに備え、当該他のゲート端子がさらに他の電流制限抵抗を介して、前記点灯信号線に接続されていることを特徴とする請求項１または２に記載の発光チップ。
【請求項４】
それぞれが、基板上に設けられ、アノード端子、カソード端子、ゲート端子を備えるとともに、当該アノード端子または当該カソード端子のいずれか一方に予め定められた電位が共通に供給される複数の発光サイリスタと、当該複数の発光サイリスタのそれぞれの発光サイリスタのアノード端子またはカソード端子のいずれか他方が共通に接続され、当該発光サイリスタに点灯のための電流が供給される点灯信号線と、当該基板上に設けられ、アノード端子、カソード端子、第１のゲート端子、第２のゲート端子を備え、オフ状態において、当該第１のゲート端子と当該第２のゲート端子との間で予め定められた抵抗値を有し、当該アノード端子または当該カソード端子のいずれか一方に当該電位が供給されるとともに、当該第１のゲート端子が当該複数の発光サイリスタにおいて点灯している発光サイリスタの消灯を指定する指定信号を受信する指定信号端子に接続され、当該第２のゲート端子が当該点灯信号線に接続され、当該指定信号により消灯が指定されるとオフ状態からオン状態に移行して、当該点灯している発光サイリスタを消灯する消灯サイリスタと、当該基板上に設けられ、アノード端子、カソード端子、ゲート端子を備え、当該アノード端子または当該カソード端子のいずれか一方に当該電位が共通に供給されるとともに、当該アノード端子または当該カソード端子のいずれか他方が電流制限抵抗を介して当該指定信号端子に接続され、当該ゲート端子が当該消灯サイリスタのアノード端子またはカソード端子のいずれか他方に接続され、当該消灯信号による消灯の指定が解除されるとオフ状態からオン状態に移行して、オン状態の当該消灯サイリスタをオフ状態に移行させる駆動サイリスタとを備える発光チップを複数備え、像保持体を露光して静電潜像を形成する露光手段と、
前記露光手段から照射される光を像保持体上に結像させる光学手段と
を備えるプリントヘッド。
【請求項５】
像保持体と、
前記像保持体を帯電する帯電手段と、
それぞれが、基板上に設けられ、アノード端子、カソード端子、ゲート端子を備えるとともに、当該アノード端子または当該カソード端子のいずれか一方に予め定められた電位が共通に供給される複数の発光サイリスタと、当該複数の発光サイリスタのそれぞれの発光サイリスタのアノード端子またはカソード端子のいずれか他方が共通に接続され、当該発光サイリスタに点灯のための電流が供給される点灯信号線と、当該基板上に設けられ、アノード端子、カソード端子、第１のゲート端子、第２のゲート端子を備え、オフ状態において、当該第１のゲート端子と当該第２のゲート端子との間で予め定められた抵抗値を有し、当該アノード端子または当該カソード端子のいずれか一方に当該電位が供給されるとともに、当該第１のゲート端子が当該複数の発光サイリスタにおいて点灯している発光サイリスタの消灯を指定する指定信号を受信する指定信号端子に接続され、当該第２のゲート端子が当該点灯信号線に接続され、当該指定信号により消灯が指定されるとオフ状態からオン状態に移行して、当該点灯している発光サイリスタを消灯する消灯サイリスタと、当該基板上に設けられ、アノード端子、カソード端子、ゲート端子を備え、当該アノード端子または当該カソード端子のいずれか一方に当該電位が共通に供給されるとともに、当該アノード端子または当該カソード端子のいずれか他方が電流制限抵抗を介して当該指定信号端子に接続され、当該ゲート端子が当該消灯サイリスタのアノード端子またはカソード端子のいずれか他方に接続され、当該消灯信号による消灯の指定が解除されるとオフ状態からオン状態に移行して、オン状態の当該消灯サイリスタをオフ状態に移行させる駆動サイリスタとを備える発光チップを複数備え、前記像保持体を露光して静電潜像を形成する露光手段と、
前記露光手段から照射される光を前記像保持体上に結像させる光学手段と、
前記像保持体に形成された前記静電潜像を現像する現像手段と、
前記像保持体に現像された画像を被転写体に転写する転写手段と
を備える画像形成装置。
【請求項６】
前記指定信号を発生する指定手段をさらに備え、当該指定手段が当該指定信号を、前記点灯している発光サイリスタの消灯を指定する第１の状態、消灯の指定を解除する第２の状態、または前記消灯サイリスタと前記駆動サイリスタとを共にオフ状態に維持する高出力インピーダンスの状態のいずれかに設定することを特徴とする請求項５に記載の画像形成装置。
【請求項７】
基板上に設けられ、アノード端子、カソード端子、第１のゲート端子、第２のゲート端子を備え、オフ状態において、当該第１のゲート端子と当該第２のゲート端子との間で予め定められた抵抗値を有し、当該アノード端子または当該カソード端子のいずれか一方に予め定められた電位が供給されるとともに、当該第１のゲート端子が、セットまたはリセットを指定する指定信号を受信する入力端子に接続され、当該第２のゲート端子が、当該指定信号により指定されたセットまたはリセットの状態を出力する出力端子に接続され、セットを指定する当該指定信号によりオフ状態からオン状態に移行して、当該出力端子をセットの状態に設定するセットサイリスタと、
前記基板上に設けられ、アノード端子、カソード端子、ゲート端子を備え、当該アノード端子または当該カソード端子のいずれか一方に前記電位が共通に供給されるとともに、当該アノード端子または当該カソード端子のいずれか他方が電流制限抵抗を介して前記入力端子に接続され、当該ゲート端子が前記セットサイリスタのアノード端子またはカソード端子のいずれか他方に接続され、リセットを指定する前記指定信号によりオフ状態からオン状態に移行して、オン状態の当該セットサイリスタをオフ状態に移行させ、前記出力端子をリセットの状態に設定するリセットサイリスタと
を備えるセット−リセットフリップフロップ回路。
【請求項８】
前記リセットサイリスタは、他のゲート端子をさらに備え、当該他のゲート端子が他の電流制限抵抗を介して、前記出力端子に接続されていることを特徴とする請求項７に記載のセット−リセットフリップフロップ回路。
【発明の詳細な説明】
【技術分野】
【０００１】
本発明は、発光チップ、プリントヘッド、画像形成装置およびセット−リセットフリップフロップ回路に関する。
【背景技術】
【０００２】
電子写真方式を採用した、プリンタや複写機、ファクシミリ等の画像形成装置では、帯電された感光体上に、画像情報を光記録手段により照射することにより静電潜像を得た後、この静電潜像にトナーを付加して可視化し、記録紙上に転写して定着することによって画像形成が行われる。かかる光記録手段として、レーザを用い、主走査方向にレーザ光を走査させて露光する光走査方式の他、近年では、装置の小型化の要請を受けて発光素子としての発光ダイオード（ＬＥＤ：Ｌｉｇｈｔ  Ｅｍｉｔｔｉｎｇ  Ｄｉｏｄｅ）を主走査方向に複数、配列してなる、ＬＥＤプリントヘッド（ＬＰＨ：ＬＥＤ  Ｐｒｉｎｔ  Ｈｅａｄ）を用いた記録装置が採用されている。
【０００３】
特許文献１には、それぞれが、複数の発光素子を有し、２以上且つＮ（Ｎは２以上の整数）以下の個数の指定信号で点灯または非点灯の制御の対象として指定される、複数の発光チップと、Ｍ個（Ｍは３以上の整数であって、Ｍ＞Ｎ）の選択信号を送信することにより、当該Ｍ個の選択信号から２以上且つＮ以下の個数の組み合わせによって、前記複数の発光チップを構成するそれぞれの発光チップに対応する前記指定信号が構成され、前記制御の対象として指定する選択信号発生部とを備える発光装置が記載されている。
【先行技術文献】
【特許文献】
【０００４】
【特許文献１】特開２０１１−２１８７７２号公報
【発明の概要】
【発明が解決しようとする課題】
【０００５】
本発明は、消灯信号により消灯素子を動作させて発光している発光素子を消灯させるにあたり、消灯信号の電流が抑制できる発光チップ等を提供することを目的とする。
【課題を解決するための手段】
【０００６】
請求項１に記載の発明は、それぞれが、基板上に設けられ、アノード端子、カソード端子、ゲート端子を備えるとともに、当該アノード端子または当該カソード端子のいずれか一方に予め定められた電位が共通に供給される複数の発光サイリスタと、前記複数の発光サイリスタのそれぞれの発光サイリスタのアノード端子またはカソード端子のいずれか他方が共通に接続され、前記発光サイリスタに点灯のための電流が供給される点灯信号線と、前記基板上に設けられ、アノード端子、カソード端子、第１のゲート端子、第２のゲート端子を備え、オフ状態において、当該第１のゲート端子と当該第２のゲート端子との間で予め定められた抵抗値を有し、当該アノード端子または当該カソード端子のいずれか一方に前記電位が供給されるとともに、当該第１のゲート端子が前記複数の発光サイリスタにおいて点灯している発光サイリスタの消灯を指定する指定信号を受信する指定信号端子に接続され、当該第２のゲート端子が前記点灯信号線に接続され、当該指定信号により消灯が指定されるとオフ状態からオン状態に移行して、当該点灯している発光サイリスタを消灯する消灯サイリスタと、前記基板上に設けられ、アノード端子、カソード端子、ゲート端子を備え、当該アノード端子または当該カソード端子のいずれか一方に前記電位が共通に供給されるとともに、当該アノード端子または当該カソード端子のいずれか他方が電流制限抵抗を介して前記指定信号端子に接続され、当該ゲート端子が当該消灯サイリスタのアノード端子またはカソード端子のいずれか他方に接続され、前記消灯信号による消灯の指定が解除されるとオフ状態からオン状態に移行して、オン状態の当該消灯サイリスタをオフ状態に移行させる駆動サイリスタとを備える発光チップである。
請求項２に記載の発明は、前記電位と異なる予め定められた他の電位が供給される電源線をさらに備え、前記点灯信号線は、他の電流制限抵抗を介して、当該電源線に接続されていることを特徴とする請求項１に記載の発光チップである。
請求項３に記載の発明は、前記駆動サイリスタは、他のゲート端子をさらに備え、当該他のゲート端子がさらに他の電流制限抵抗を介して、前記点灯信号線に接続されていることを特徴とする請求項１または２に記載の発光チップである。
請求項４に記載の発明は、それぞれが、基板上に設けられ、アノード端子、カソード端子、ゲート端子を備えるとともに、当該アノード端子または当該カソード端子のいずれか一方に予め定められた電位が共通に供給される複数の発光サイリスタと、当該複数の発光サイリスタのそれぞれの発光サイリスタのアノード端子またはカソード端子のいずれか他方が共通に接続され、当該発光サイリスタに点灯のための電流が供給される点灯信号線と、当該基板上に設けられ、アノード端子、カソード端子、第１のゲート端子、第２のゲート端子を備え、オフ状態において、当該第１のゲート端子と当該第２のゲート端子との間で予め定められた抵抗値を有し、当該アノード端子または当該カソード端子のいずれか一方に当該電位が供給されるとともに、当該第１のゲート端子が当該複数の発光サイリスタにおいて点灯している発光サイリスタの消灯を指定する指定信号を受信する指定信号端子に接続され、当該第２のゲート端子が当該点灯信号線に接続され、当該指定信号により消灯が指定されるとオフ状態からオン状態に移行して、当該点灯している発光サイリスタを消灯する消灯サイリスタと、当該基板上に設けられ、アノード端子、カソード端子、ゲート端子を備え、当該アノード端子または当該カソード端子のいずれか一方に当該電位が共通に供給されるとともに、当該アノード端子または当該カソード端子のいずれか他方が電流制限抵抗を介して当該指定信号端子に接続され、当該ゲート端子が当該消灯サイリスタのアノード端子またはカソード端子のいずれか他方に接続され、当該消灯信号による消灯の指定が解除されるとオフ状態からオン状態に移行して、オン状態の当該消灯サイリスタをオフ状態に移行させる駆動サイリスタとを備える発光チップを複数備え、像保持体を露光して静電潜像を形成する露光手段と、前記露光手段から照射される光を像保持体上に結像させる光学手段とを備えるプリントヘッドである。
請求項５に記載の発明は、像保持体と、前記像保持体を帯電する帯電手段と、それぞれが、基板上に設けられ、アノード端子、カソード端子、ゲート端子を備えるとともに、当該アノード端子または当該カソード端子のいずれか一方に予め定められた電位が共通に供給される複数の発光サイリスタと、当該複数の発光サイリスタのそれぞれの発光サイリスタのアノード端子またはカソード端子のいずれか他方が共通に接続され、当該発光サイリスタに点灯のための電流が供給される点灯信号線と、当該基板上に設けられ、アノード端子、カソード端子、第１のゲート端子、第２のゲート端子を備え、オフ状態において、当該第１のゲート端子と当該第２のゲート端子との間で予め定められた抵抗値を有し、当該アノード端子または当該カソード端子のいずれか一方に当該電位が供給されるとともに、当該第１のゲート端子が当該複数の発光サイリスタにおいて点灯している発光サイリスタの消灯を指定する指定信号を受信する指定信号端子に接続され、当該第２のゲート端子が当該点灯信号線に接続され、当該指定信号により消灯が指定されるとオフ状態からオン状態に移行して、当該点灯している発光サイリスタを消灯する消灯サイリスタと、当該基板上に設けられ、アノード端子、カソード端子、ゲート端子を備え、当該アノード端子または当該カソード端子のいずれか一方に当該電位が共通に供給されるとともに、当該アノード端子または当該カソード端子のいずれか他方が電流制限抵抗を介して当該指定信号端子に接続され、当該ゲート端子が当該消灯サイリスタのアノード端子またはカソード端子のいずれか他方に接続され、当該消灯信号による消灯の指定が解除されるとオフ状態からオン状態に移行して、オン状態の当該消灯サイリスタをオフ状態に移行させる駆動サイリスタとを備える発光チップを複数備え、前記像保持体を露光して静電潜像を形成する露光手段と、前記露光手段から照射される光を前記像保持体上に結像させる光学手段と、前記像保持体に形成された前記静電潜像を現像する現像手段と、前記像保持体に現像された画像を被転写体に転写する転写手段とを備える画像形成装置である。
請求項６に記載の発明は、前記指定信号を発生する指定手段をさらに備え、当該指定手段が当該指定信号を、前記点灯している発光サイリスタの消灯を指定する第１の状態、消灯の指定を解除する第２の状態、または前記消灯サイリスタと前記駆動サイリスタとを共にオフ状態に維持する高出力インピーダンスの状態のいずれかに設定することを特徴とする請求項５に記載の画像形成装置である。
請求項７に記載の発明は、基板上に設けられ、アノード端子、カソード端子、第１のゲート端子、第２のゲート端子を備え、オフ状態において、当該第１のゲート端子と当該第２のゲート端子との間で予め定められた抵抗値を有し、当該アノード端子または当該カソード端子のいずれか一方に予め定められた電位が供給されるとともに、当該第１のゲート端子が、セットまたはリセットを指定する指定信号を受信する入力端子に接続され、当該第２のゲート端子が、当該指定信号により指定されたセットまたはリセットの状態を出力する出力端子に接続され、セットを指定する当該指定信号によりオフ状態からオン状態に移行して、当該出力端子をセットの状態に設定するセットサイリスタと、前記基板上に設けられ、アノード端子、カソード端子、ゲート端子を備え、当該アノード端子または当該カソード端子のいずれか一方に前記電位が共通に供給されるとともに、当該アノード端子または当該カソード端子のいずれか他方が電流制限抵抗を介して前記入力端子に接続され、当該ゲート端子が前記セットサイリスタのアノード端子またはカソード端子のいずれか他方に接続され、リセットを指定する前記指定信号によりオフ状態からオン状態に移行して、オン状態の当該セットサイリスタをオフ状態に移行させ、前記出力端子をリセットの状態に設定するリセットサイリスタとを備えるセット−リセットフリップフロップ回路である。
請求項８に記載の発明は、前記リセットサイリスタは、他のゲート端子をさらに備え、当該他のゲート端子が他の電流制限抵抗を介して、前記出力端子に接続されていることを特徴とする請求項７に記載のセット−リセットフリップフロップ回路である。
【発明の効果】
【０００７】
請求項１の発明によれば、駆動サイリスタを備えない場合に比べ、消灯信号により消灯素子を動作させて発光している発光素子を消灯するにあたり、消灯信号の電流が抑制できる。
請求項２の発明によれば、本構成を有しない場合に比べ、大きな電流が流れる配線を設けることが抑制できる。
請求項３の発明によれば、本構成を有しない場合に比べ、発光チップの動作速度が向上する。
請求項４の発明によれば、本構成を有しない場合に比べ、プリントヘッドが小型化できる。
請求項５の発明によれば、本構成を有しない場合に比べ、画像形成装置が小型化できる。
請求項６の発明によれば、本構成を有しない場合に比べ、画像形成装置の消費電力が抑制できる。
請求項７の発明によれば、本構成を有しない場合に比べ、発光素子とセット−リセットフリップフロップ回路との形成がより容易にできる。
請求項８の発明によれば、本構成を有しない場合に比べ、セット−リセットフリップフロップ回路の動作速度が向上する。
【図面の簡単な説明】
【０００８】
【図１】第１の実施の形態が適用される画像形成装置の全体構成の一例を示した図である。
【図２】プリントヘッドの構成を示した断面図である。
【図３】発光装置の上面図である。
【図４】発光チップの構成、信号発生回路の構成および回路基板上の配線構成を示した図である。
【図５】発光装置の発光チップをマトリクスの各要素として配置して示した図である。
【図６】自己走査型発光素子アレイ（ＳＬＥＤ）チップである発光チップの回路構成を説明するための等価回路図である。
【図７】第１の実施の形態における発光チップの平面レイアウト図および断面図である。
【図８】第１の実施の形態における消灯回路の平面レイアウト図および断面図である。
【図９】消灯信号に対する消灯サイリスタなどの状態を説明する図である。
【図１０】発光装置および発光チップの動作を説明するためのタイミングチャートである。
【図１１】消灯信号に「Ｈｉ−Ｚ」の状態を設けない場合の、発光装置および発光チップの動作を説明するためのタイミングチャートである。
【図１２】第２の実施の形態における発光チップの平面レイアウト図および断面図である。
【図１３】第２の実施の形態における消灯回路の平面レイアウト図および断面図である。
【発明を実施するための形態】
【０００９】
以下、添付図面を参照して、本発明の実施の形態について詳細に説明する。
［第１の実施の形態］
（画像形成装置１）
図１は、第１の実施の形態が適用される画像形成装置１の全体構成の一例を示した図である。図１に示す画像形成装置１は、一般にタンデム型と呼ばれる画像形成装置である。この画像形成装置１は、各色の画像データに対応して画像形成を行なう画像形成プロセス部１０、画像形成プロセス部１０を制御する画像出力制御部３０、例えばパーソナルコンピュータ（ＰＣ）２や画像読取装置３に接続され、これらから受信された画像データに対して予め定められた画像処理を施す画像処理部４０を備えている。
【００１０】
画像形成プロセス部１０は、予め定められた間隔を置いて並列的に配置される複数のエンジンを含む画像形成ユニット１１を備えている。この画像形成ユニット１１は、４つの画像形成ユニット１１Ｙ、１１Ｍ、１１Ｃ、１１Ｋから構成されている。画像形成ユニット１１Ｙ、１１Ｍ、１１Ｃ、１１Ｋは、それぞれ、静電潜像を形成してトナー像を保持する像保持体の一例としての感光体ドラム１２、感光体ドラム１２の表面を予め定められた電位で帯電する帯電手段の一例としての帯電器１３、帯電器１３によって帯電された感光体ドラム１２を露光するプリントヘッド１４、プリントヘッド１４によって得られた静電潜像を現像する現像手段の一例としての現像器１５を備えている。ここで、各画像形成ユニット１１Ｙ、１１Ｍ、１１Ｃ、１１Ｋは、現像器１５に収納されたトナーを除いて、同様に構成されている。そして、画像形成ユニット１１Ｙ、１１Ｍ、１１Ｃ、１１Ｋは、それぞれがイエロー（Ｙ）、マゼンタ（Ｍ）、シアン（Ｃ）、黒（Ｋ）のトナー像を形成する。
また、画像形成プロセス部１０は、各画像形成ユニット１１Ｙ、１１Ｍ、１１Ｃ、１１Ｋの感光体ドラム１２にて形成された各色のトナー像を被転写体の一例としての記録用紙に多重転写させるために、この記録用紙を搬送する用紙搬送ベルト２１と、用紙搬送ベルト２１を駆動させるロールである駆動ロール２２と、感光体ドラム１２のトナー像を記録用紙に転写させる転写手段の一例としての転写ロール２３と、記録用紙にトナー像を定着させる定着器２４とを備えている。
【００１１】
この画像形成装置１において、画像形成プロセス部１０は、画像出力制御部３０から供給される各種の制御信号に基づいて画像形成動作を行う。そして、画像出力制御部３０による制御の下で、パーソナルコンピュータ（ＰＣ）２や画像読取装置３から受信された画像データは、画像処理部４０によって画像処理が施され、画像形成ユニット１１に供給される。そして、例えば黒（Ｋ）色の画像形成ユニット１１Ｋでは、感光体ドラム１２が矢印Ａ方向に回転しながら、帯電器１３により予め定められた電位に帯電され、画像処理部４０から供給された画像データに基づいて発光するプリントヘッド１４により露光される。これにより、感光体ドラム１２上には、黒（Ｋ）色画像に関する静電潜像が形成される。そして、感光体ドラム１２上に形成された静電潜像は、現像器１５により現像され、感光体ドラム１２上には黒（Ｋ）色のトナー像が形成される。画像形成ユニット１１Ｙ、１１Ｍ、１１Ｃにおいても、それぞれイエロー（Ｙ）、マゼンタ（Ｍ）、シアン（Ｃ）の各色トナー像が形成される。
【００１２】
各画像形成ユニット１１で形成された感光体ドラム１２上の各色トナー像は、矢印Ｂ方向に移動する用紙搬送ベルト２１の移動に伴って供給された記録用紙に、転写ロール２３に印加された転写電界により、順次静電転写され、記録用紙上に各色トナーが重畳された合成トナー像が形成される。
その後、合成トナー像が静電転写された記録用紙は、定着器２４まで搬送される。定着器２４に搬送された記録用紙上の合成トナー像は、定着器２４によって熱および圧力による定着処理を受けて記録用紙上に定着され、画像形成装置１から排出される。
【００１３】
（プリントヘッド１４）
図２は、プリントヘッド１４の構成を示した断面図である。このプリントヘッド１４は、ハウジング６１、感光体ドラム１２を露光する複数の発光素子（本実施の形態では発光サイリスタ）からなる光源部６３を備えた露光手段の一例としての発光装置６５、光源部６３から出射された光を感光体ドラム１２表面に結像させる光学手段の一例としてのロッドレンズアレイ６４を備えている。
発光装置６５は、光源部６３、光源部６３を駆動する信号発生回路１１０（後述の図３参照）等を搭載する回路基板６２を備えている。なお、発光装置６５が信号発生回路１１０を備えず、発光装置６５の外部に設けられる画像出力制御部３０等が信号発生回路１１０を備えてもよい。この場合、画像出力制御部３０等から、信号発生回路１１０が光源部６３に供給する信号等がハーネス等を介して発光装置６５に供給される。以下では、発光装置６５が信号発生回路１１０を備えているとして説明する。
【００１４】
ハウジング６１は、例えば金属で形成され、回路基板６２およびロッドレンズアレイ６４を支持し、光源部６３の発光素子における発光点がロッドレンズアレイ６４の焦点面となるように設定されている。また、ロッドレンズアレイ６４は、感光体ドラム１２の軸方向（主走査方向であって、後述する図３、図４（ｂ）のＸ方向）に沿って配置されている。
【００１５】
（発光装置６５）
図３は、発光装置６５の上面図である。
図３に示すように、本実施の形態における発光装置６５では、光源部６３は、回路基板６２上に、２０個の発光チップＣａ１〜Ｃａ２０（発光チップ群＃ａ）と、同じく２０個の発光チップＣｂ１〜Ｃｂ２０（発光チップ群＃ｂ）とを、主走査方向に二列に千鳥状に配置して構成されている。すなわち、本実施の形態では、２つの発光チップ群（発光チップ群＃ａと発光チップ群＃ｂ）を備えている。ここでは、発光チップ群を群と略すことがある。なお、発光チップ群＃ａと発光チップ群＃ｂとの向かい合わせについての詳細は後述する。
本明細書では、「〜」は、番号によってそれぞれが区別された複数の構成要素を示すもので、「〜」の前後に記載されたものおよびその間の番号のものを含むことを意味する。例えば、発光チップＣａ１〜Ｃａ２０は、発光チップＣａ１から番号順に発光チップＣａ２０までを含む。
【００１６】
発光チップＣａ１〜Ｃａ２０および発光チップＣｂ１〜Ｃｂ２０の構成は同一であってよい。よって、発光チップＣａ１〜Ｃａ２０および発光チップＣｂ１〜Ｃｂ２０をそれぞれ区別しないときは、発光チップＣと表記する。
なお、本実施の形態では、発光チップＣの数として、合計４０個を用いたが、これに限定されない。
そして、発光装置６５は、光源部６３を駆動する信号発生回路１１０を搭載している。なお、前述したように、発光装置６５は、信号発生回路１１０を搭載していなくともよい。
【００１７】
図４は、発光チップＣの構成、信号発生回路１１０の構成および回路基板６２上の配線構成を示した図である。図４（ａ）は発光チップＣの構成を示し、図４（ｂ）は発光装置６５の信号発生回路１１０の構成および回路基板６２上の配線構成を示す。本実施の形態では、発光チップＣは２つの発光チップ群（＃ａおよび＃ｂ）に分けられている。
【００１８】
はじめに、図４（ａ）に示す発光チップＣの構成を説明する。
発光チップＣは、表面形状が長方形である基板８０の表面において、長辺の一辺に近い側に長辺に沿って列状に設けられた複数の発光素子（本実施の形態では発光サイリスタＬ１、Ｌ２、Ｌ３、…）からなる発光部１０２を備えている。さらに、発光チップＣは、基板８０の長辺方向の両端部に、各種の制御信号等を取り込むための複数のボンディングパッドである入力端子（φＥ端子、φ１端子、Ｖｇａ端子、φ２端子、φＷ端子、φＲ端子）を備えている。なお、これらの入力端子は、基板８０の一端部からφＥ端子、φ１端子、Ｖｇａ端子の順に設けられ、基板８０の他端部からφＲ端子、φＷ端子、φ２端子の順に設けられている。そして、発光部１０２は、Ｖｇａ端子とφ２端子との間に設けられている。さらに、基板８０の裏面にはＶｓｕｂ端子として裏面電極８５（後述する図７参照）が設けられている。
【００１９】
なお、「列状」とは、図４（ａ）に示したように複数の発光素子が一直線上に配置されている場合に限らず、複数の発光素子のそれぞれの発光素子が、列方向と直交する方向に対して、互いに異なるずれ量を有して配置されている状態でもよい。例えば、発光素子の発光面３２１ａ（後述する図７参照）を画素としたとき、それぞれの発光素子が、列方向と直交する方向に数画素分または数十画素分のずれ量をもって配置されていてもよい。また、隣接する発光素子間で交互に、または複数の発光素子毎に、ジグザグに配置されていてもよい。
【００２０】
次に、図４（ｂ）により、発光装置６５の信号発生回路１１０の構成および回路基板６２上の配線構成を説明する。
前述したように、発光装置６５の回路基板６２には、信号発生回路１１０および発光チップＣ（発光チップＣａ１〜Ｃａ２０および発光チップＣｂ１〜Ｃｂ２０）が搭載され、信号発生回路１１０と発光チップＣ（発光チップＣａ１〜Ｃａ２０および発光チップＣｂ１〜Ｃｂ２０）とを相互に接続する配線（ライン）が設けられている。
なお、発光装置６５の回路基板６２が信号発生回路１１０を搭載していなくともよい。このとき、信号発生回路１１０は、発光装置６５の外部に設けられ、発光チップＣ（発光チップＣａ１〜Ｃａ２０および発光チップＣｂ１〜Ｃｂ２０）を制御する制御信号などを、ケーブルなどを介して供給する。ここでは、発光装置６５は信号発生回路１１０を備えているとして説明する。
【００２１】
まず、信号発生回路１１０の構成について説明する。
信号発生回路１１０には、図示しないが、画像出力制御部３０および画像処理部４０（図１参照）より、画像処理された画像データおよび各種の制御信号が入力される。信号発生回路１１０は、これらの画像データおよび各種の制御信号に基づいて、画像データの並び替えや光量の補正等を行う。
そして、信号発生回路１１０は、各種の制御信号に基づき、発光チップ群＃ａ（発光チップＣａ１〜Ｃａ２０）に対して、第１転送信号φ１ａおよび第２転送信号φ２ａを送信する転送信号発生部１２０ａと、発光チップ群＃ｂ（発光チップＣｂ１〜Ｃｂ２０）に対して、第１転送信号φ１ｂおよび第２転送信号φ２ｂを送信する転送信号発生部１２０ｂとを備えている。
【００２２】
さらに、信号発生回路１１０は、各種の制御信号に基づき、発光チップ群＃ａ（発光チップＣａ１〜Ｃａ２０）に対して、許可信号φＥａを送信する許可信号発生部１３０ａと、発光チップ群＃ｂ（発光チップＣｂ１〜Ｃｂ２０）に対して、許可信号φＥｂを送信する許可信号発生部１３０ｂとを備えている。
さらにまた、信号発生回路１１０は、各種の制御信号に基づき、発光チップ群＃ａ（発光チップＣａ１〜Ｃａ２０）に対して、消灯信号φＲａを送信する消灯信号発生部１４０ａと、発光チップ群＃ｂ（発光チップＣｂ１〜Ｃｂ２０）に対して、消灯信号φＲｂを送信する消灯信号発生部１４０ｂとを備えている。
そして、信号発生回路１１０は、各種の制御信号に基づき、発光チップ群＃ａに属する一つの発光チップＣと発光チップ群＃ｂに属する一つの発光チップＣとを一つの発光チップ組にして、発光チップ組毎に設定信号φＷ１〜φＷ２０をそれぞれ送信する設定信号発生部１５０を備えている。ここでは、発光チップ組を組と略すことがある。
【００２３】
例えば、設定信号発生部１５０は、発光チップ群＃ａに属する発光チップＣａ１と発光チップ群＃ｂに属する発光チップＣｂ１との発光チップ組＃１に対して、設定信号φＷ１を送信する。発光チップ群＃ａに属する発光チップＣａ２と発光チップ群＃ｂに属する発光チップＣｂ２との発光チップ組＃２に対して、設定信号φＷ２を送信する。以下同様にして、発光チップ群＃ａに属する発光チップＣａ２０と発光チップ群＃ｂに属する発光チップＣｂ２０との発光チップ組＃２０に対して、設定信号φＷ２０を送信する。
さらにまた、信号発生回路１１０は、発光チップＣ（発光チップＣａ１〜Ｃａ２０および発光チップＣｂ１〜Ｃｂ２０）に電位の基準となる基準電位Ｖｓｕｂを供給する基準電位供給部１６０、発光チップＣ（発光チップＣａ１〜Ｃａ２０および発光チップＣｂ１〜Ｃｂ２０）の駆動のための電源電位Ｖｇａを供給する電源電位供給部１７０を備えている。
【００２４】
なお、上述したように、図４では、転送信号発生部１２０ａと転送信号発生部１２０ｂとを分けて示したが、これらをまとめて転送信号発生部１２０と表記する。
同様に、許可信号発生部１３０ａと許可信号発生部１３０ｂとを分けて示したが、これらをまとめて許可信号発生部１３０と表記する。
さらに同様に、消灯信号発生部１４０ａと消灯信号発生部１４０ｂとを分けて示したが、これらをまとめて指定手段の一例としての消灯信号発生部１４０と表記する。
同様に、第１転送信号φ１ａと第１転送信号φ１ｂとを区別しない場合には第１転送信号φ１と呼び、第２転送信号φ２ａと第２転送信号φ２ｂとを区別しない場合には第２転送信号φ２と表記する。さらに、第１転送信号φ１と第２転送信号φ２とを区別しないときは転送信号と表記する。同様に、許可信号φＥａと許可信号φＥｂとを区別しない場合には許可信号φＥと、消灯信号φＲａと消灯信号φＲｂとを区別しない場合には消灯信号φＲと、設定信号φＷ１〜φＷ２０これらをまとめて設定信号φＷと表記する。
【００２５】
次に、発光チップＣａ１〜Ｃａ２０および発光チップＣｂ１〜Ｃｂ２０の配列について説明する。
発光チップ群＃ａに属する発光チップＣａ１〜Ｃａ２０は、それぞれの長辺の方向に間隔を設けて一列に配列されている。発光チップ群＃ｂに属する発光チップＣｂ１〜Ｃｂ２０も、同様にそれぞれの長辺の方向に一列に間隔を設けて配列されている。そして、発光チップ群＃ａに属する発光チップＣａ１〜Ｃａ２０および発光チップ群＃ｂに属する発光チップＣｂ１〜Ｃｂ２０のそれぞれに設けられた発光部１０２に近い側の長辺が向かい合うように、互いに１８０°回転した状態で千鳥状に配列されている。そして、発光チップＣ間においても発光素子が主走査方向に予め定められた間隔で並ぶように、発光チップＣの位置が設定されている。なお、図４（ｂ）の発光チップＣａ１、Ｃａ２、Ｃａ３、…および発光チップＣｂ１、Ｃｂ２、Ｃｂ３、…に、図４（ａ）に示した発光部１０２の発光素子の並び（本実施の形態では発光サイリスタＬ１、Ｌ２、Ｌ３、…の番号順）の方向を矢印で示している。
【００２６】
信号発生回路１１０と発光チップＣ（発光チップＣａ１〜Ｃａ２０および発光チップＣｂ１〜Ｃｂ２０）とを相互に接続する配線（ライン）について説明する。
回路基板６２には、発光チップＣの基板８０裏面に設けられたＶｓｕｂ端子（後述の図６および図７参照）に接続され、基準電位供給部１６０より基準電位Ｖｓｕｂが与えられる電源ライン２００ａが設けられている。
そして、発光チップＣに設けられたＶｇａ端子に接続され、電源電位供給部１７０より電源電位Ｖｇａが与えられる電源ライン２００ｂが設けられている。
【００２７】
また、回路基板６２には、信号発生回路１１０の転送信号発生部１２０ａから、発光チップ群＃ａの発光チップＣａ１〜Ｃａ２０のφ１端子に、第１転送信号φ１ａを送信するための第１転送信号ライン２０１ａ、および発光チップ群＃ａの発光チップＣａ１〜Ｃａ２０のφ２端子に、第２転送信号φ２ａを送信するための第２転送信号ライン２０２ａが設けられている。第１転送信号φ１ａおよび第２転送信号φ２ａは、発光チップ群＃ａの発光チップＣａ１〜Ｃａ２０に共通（並列）に送信される。
同様に、信号発生回路１１０の転送信号発生部１２０ｂから、発光チップ群＃ｂの発光チップＣｂ１〜Ｃｂ２０のφ１端子に、第１転送信号φ１ｂを送信するための第１転送信号ライン２０１ｂ、および発光チップ群＃ｂの発光チップＣｂ１〜Ｃｂ２０のφ２端子に、第２転送信号φ２ｂを送信するための第２転送信号ライン２０２ｂが設けられている。第１転送信号φ１ｂおよび第２転送信号φ２ｂは、発光チップ群＃ｂの発光チップＣｂ１〜Ｃｂ２０に共通（並列）に送信される。
【００２８】
そして、回路基板６２には、信号発生回路１１０の許可信号発生部１３０ａから、発光チップ群＃ａの発光チップＣａ１〜Ｃａ２０のφＥ端子に、許可信号φＥａを送信するための許可信号ライン２０３ａが設けられている。許可信号φＥａは、発光チップ群＃ａの発光チップＣａ１〜Ｃａ２０に共通（並列）に送信される。
同様に、信号発生回路１１０の許可信号発生部１３０ｂから、発光チップ群＃ｂの発光チップＣｂ１〜Ｃｂ２０のφＥ端子に、許可信号φＥｂを送信するための許可信号ライン２０３ｂが設けられている。許可信号φＥｂは、発光チップ群＃ｂの発光チップＣｂ１〜Ｃｂ２０に共通（並列）に送信される。
【００２９】
さらに、回路基板６２には、信号発生回路１１０の消灯信号発生部１４０ａから、発光チップ群＃ａの発光チップＣａ１〜Ｃａ２０の指定信号端子の一例としてのφＲ端子に、消灯信号φＲａを送信するための消灯信号ライン２０４ａが設けられている。消灯信号φＲａは、発光チップ群＃ａの発光チップＣａ１〜Ｃａ２０に共通（並列）に送信される。
同様に、信号発生回路１１０の消灯信号発生部１４０ｂから、発光チップ群＃ｂの発光チップＣｂ１〜Ｃｂ２０のφＲ端子に、消灯信号φＲｂを送信するための消灯信号ライン２０４ｂが設けられている。消灯信号φＲｂは、発光チップ群＃ｂの発光チップＣｂ１〜Ｃｂ２０に共通（並列）に送信される。
【００３０】
さらにまた、回路基板６２には、信号発生回路１１０の設定信号発生部１５０から、発光チップ群＃ａに属する一つの発光チップＣと発光チップ群＃ｂに属する一つの発光チップＣとを発光チップの組（発光チップ組）にして、発光チップ組毎に設定信号φＷ１〜φＷ２０を送信する設定信号ライン２０５〜２２４が設けられている。
【００３１】
例えば、設定信号ライン２０５は、発光チップ群＃ａの発光チップＣａ１のφＷ端子と発光チップ群＃ｂに属する発光チップＣｂ１のφＷ端子とに接続され、発光チップＣａ１と発光チップＣｂ１とで構成する発光チップ組＃１に対して設定信号φＷ１を送信する。設定信号ライン２０６は、発光チップ群＃ａの発光チップＣａ２のφＷ端子と発光チップ群＃ｂに属する発光チップＣｂ２のφＷ端子とに接続され、発光チップＣａ２と発光チップＣｂ２とで構成する発光チップ組＃２に対して設定信号φＷ２を送信する。以下同様にして、設定信号ライン２２４は、発光チップ群＃ａの発光チップＣａ２０のφＷ端子と発光チップ群＃ｂに属する発光チップＣｂ２０のφＷ端子とに接続され、発光チップＣａ２０と発光チップＣｂ２０とで構成する発光チップ組＃２０に対して設定信号φＷ２０を送信する。
【００３２】
以上説明したように、回路基板６２上のすべての発光チップＣには、基準電位Ｖｓｕｂと電源電位Ｖｇａが共通に送信される。
そして、第１転送信号φ１ａ、第２転送信号φ２ａ、消灯信号φＲａ、許可信号φＥａは、発光チップ群＃ａに対して共通に送信される。そして、第１転送信号φ１ｂ、第２転送信号φ２ｂ、消灯信号φＲｂ、許可信号φＥｂは、発光チップ群＃ｂに対して共通に送信される。
一方、設定信号φＷ１〜φＷ２０は、発光チップ群＃ａに属する一つの発光チップＣと発光チップ群＃ｂに属する一つの発光チップＣとの構成する発光チップ組＃１〜＃２０のそれぞれに対して共通に送信される。
【００３３】
なお、発光装置６５が信号発生回路１１０を備えない場合には、発光装置６５に設けられた電源ライン２００ａ、２００ｂ、第１転送信号ライン２０１ａ、２０１ｂ、第２転送信号ライン２０２ａ、２０２ｂ、許可信号ライン２０３ａ、２０３ｂ、消灯信号ライン２０４ａ、２０４ｂ、設定信号ライン２０５〜２２４は、信号発生回路１１０の代わりにコネクタなどに接続される。そして、コネクタなどに接続されるケーブルにより、発光装置６５の外部に設けられた信号発生回路１１０に接続される。
【００３４】
図５は、発光装置６５の発光チップＣをマトリクスの各要素として配置して示した図である。
図５では、発光チップＣ（発光チップＣａ１〜Ｃａ２０および発光チップＣｂ１〜Ｃｂ２０）を２×２０のマトリクスの各要素として配置して、上記した信号発生回路１１０と発光チップＣ（発光チップＣａ１〜Ｃａ２０および発光チップＣｂ１〜Ｃｂ２０）とを相互に接続する信号（第１転送信号φ１ａ、φ１ｂ、第２転送信号φ２ａ、φ２ｂ、消灯信号φＲａ、φＲｂ、許可信号φＥａ、φＥｂ、設定信号φＷ１〜φＷ２０）の配線（ライン）のみを示している。
上述したように、第１転送信号φ１ａ、第２転送信号φ２ａ、消灯信号φＲａ、許可信号φＥａは、発光チップ群＃ａに対して共通に送信される。そして、第１転送信号φ１ｂ、第２転送信号φ２ｂ、消灯信号φＲｂ、許可信号φＥｂは、発光チップ群＃ｂに対して共通に送信されることが容易に理解できる。
これに対し、設定信号φＷ１〜φＷ２０は、発光チップ群＃ａに属する一つの発光チップＣと発光チップ群＃ｂに属する一つの発光チップＣとの構成する発光チップ組＃１〜＃２０のそれぞれに対して共通に送信されることが容易に理解できる。
【００３５】
（発光チップＣ）
図６は、自己走査型発光素子アレイ（ＳＬＥＤ）である発光チップＣの回路構成を説明するための等価回路図である。なお、図６では、入力端子（Ｖｇａ端子、φ１端子、φ２端子、φＥ端子、φＷ端子、φＲ端子）を除いて、以下に説明する各素子は、後述する図７で説明するように、発光チップＣ上のレイアウトに基づいて配置されている。
ここでは、発光チップＣａ１を例に、発光チップＣを説明する。そこで、図６において、発光チップＣを発光チップＣａ１（Ｃ）と表記する。他の発光チップＣａ２〜Ｃａ２０および発光チップＣｂ１〜Ｃｂ２０の構成は、発光チップＣａ１と同じである。
なお、入力端子（Ｖｇａ端子、φ１端子、φ２端子、φＥ端子、φＷ端子、φＲ端子）は、図４（ａ）と異なるが、説明の便宜上、図中左端に示した。
【００３６】
発光チップＣａ１（Ｃ）は、前述したように基板８０上に列状に配列された発光サイリスタＬ１、Ｌ２、Ｌ３、…からなる発光サイリスタ列（発光部１０２（図４（ａ）参照））を備えている。
さらに、発光チップＣａ１（Ｃ）は、発光サイリスタ列と同様に列状に配列された、転送サイリスタＴ１、Ｔ２、Ｔ３、…からなる転送サイリスタ列および同様に列状に配列された、設定サイリスタＳ１、Ｓ２、Ｓ３、…からなる設定サイリスタ列を備えている。
ここでは、発光サイリスタＬ１、Ｌ２、Ｌ３、…をそれぞれ区別しないときは、発光サイリスタＬと表記する。転送サイリスタＴ１、Ｔ２、Ｔ３、…をそれぞれ区別しないときは、転送サイリスタＴと、設定サイリスタＳ１、Ｓ２、Ｓ３、…をそれぞれ区別しないときは設定サイリスタＳと表記する。
さらにまた、発光チップＣａ１（Ｃ）は、設定サイリスタ列に並列に設けられた設定許可サイリスタＳ０を備えている。
そして、発光チップＣａ１（Ｃ）は、消灯素子の一例としての消灯サイリスタＲＴと消灯サイリスタＲＴを駆動する駆動サイリスタＤＴとを備えた消灯回路ＲＤを備えている（後述する図７、８参照）。消灯回路ＲＤの詳細は、図７、８で説明する。
【００３７】
なお、上記のサイリスタ（発光サイリスタＬ、転送サイリスタＴ、設定サイリスタＳ、設定許可サイリスタＳ０、消灯サイリスタＲＴ、駆動サイリスタＤＴ）は、アノード端子、カソード端子、ゲート端子の３端子を有する半導体素子である。
【００３８】
また、発光チップＣａ１（Ｃ）は、転送サイリスタＴ１、Ｔ２、Ｔ３、…をそれぞれ番号順に２つをペアにしてそれぞれの間に結合ダイオードＤ１、Ｄ２、Ｄ３、…を備えている。そして、転送サイリスタＴ１、Ｔ２、Ｔ３、…と設定サイリスタＳ１、Ｓ２、Ｓ３、…との間に接続抵抗Ｒｘ１、Ｒｘ２、Ｒｘ３、…を備えている。さらに、設定サイリスタＳ１、Ｓ２、Ｓ３、…と発光サイリスタＬ１、Ｌ２、Ｌ３、…との間に接続抵抗Ｒｙ１、Ｒｙ２、Ｒｙ３、…を備えている。
さらに、発光チップＣａ１（Ｃ）は、接続抵抗Ｒｚ１、Ｒｚ２、Ｒｚ３、…を備えている。
【００３９】
ここで、発光サイリスタＬなどと同様に、結合ダイオードＤ１、Ｄ２、Ｄ３、…、接続抵抗Ｒｘ１、Ｒｘ２、Ｒｘ３、…、接続抵抗Ｒｙ１、Ｒｙ２、Ｒｙ３、…、接続抵抗Ｒｚ１、Ｒｚ２、Ｒｚ３、…のそれぞれを区別しないときは、結合ダイオードＤ、接続抵抗Ｒｘ、接続抵抗Ｒｙ、接続抵抗Ｒｚと表記する。
【００４０】
そして、発光チップＣａ１（Ｃ）は、スタートダイオードＤ０を備えている。さらに、後述する各信号線に過剰な電流が流れることを防止するための電流制限抵抗Ｒ１、Ｒ２、ＲＥ、ＲＷ、ＲＩを備えている。
【００４１】
発光サイリスタ列における発光サイリスタＬの数は、予め定められた個数とすればよい。本実施の形態で、発光サイリスタＬの数を例えば１２８個とすると、転送サイリスタＴ、設定サイリスタＳのそれぞれの数も１２８個である。同様に、接続抵抗Ｒｘ、接続抵抗Ｒｙ、接続抵抗Ｒｚの数も１２８個である。しかし、結合ダイオードＤの数は、転送サイリスタＴの数より１少ない１２７個である。
なお、転送サイリスタＴおよび設定サイリスタＳのそれぞれの数は、発光サイリスタＬの数より多くてもよい。また、結合ダイオードＤの数も転送サイリスタＴの数と同じまたは多くてもよい。
【００４２】
発光サイリスタ列の発光サイリスタＬ１、Ｌ２、Ｌ３、…、転送サイリスタ列の転送サイリスタＴ１、Ｔ２、Ｔ３、…、設定サイリスタ列の設定サイリスタＳ１、Ｓ２、Ｓ３、…は、図６中において、左側から番号順に配列されている。そして、設定許可サイリスタＳ０は、設定サイリスタ列の外側に、設定サイリスタＳ１に並んで設けられている。
さらに、結合ダイオードＤ１、Ｄ２、Ｄ３、…、接続抵抗Ｒｘ１、Ｒｘ２、Ｒｘ３、…、接続抵抗Ｒｙ１、Ｒｙ２、Ｒｙ３、…、接続抵抗Ｒｚ１、Ｒｚ２、Ｒｚ３、…も同様に、図中左側から番号順に配列されている。
そして、発光サイリスタ列、転送サイリスタ列、設定サイリスタ列は、図６中上から、転送サイリスタ列、設定サイリスタ列、発光サイリスタ列の順に並べられている。
転送サイリスタ列、結合ダイオードＤ、スタートダイオードＤ０、電流制限抵抗Ｒ１およびＲ２が転送部１０３を構成する。設定サイリスタ列、接続抵抗Ｒｘ、接続抵抗Ｒｙ、接続抵抗Ｒｚ、設定許可サイリスタＳ０、電流制限抵抗ＲＷおよび電流制限抵抗ＲＥが設定部１０４を構成する。そして、消灯サイリスタＲＴおよび駆動サイリスタＤＴを含む消灯回路ＲＤが消灯部１０５を構成する。なお、発光サイリスタ列は、前述したように発光部１０２を構成する。
【００４３】
では次に、発光チップＣａ１（Ｃ）における各素子の電気的な接続について説明する。
発光サイリスタＬ、転送サイリスタＴ、設定サイリスタＳ、設定許可サイリスタＳ０、消灯サイリスタＲＴのそれぞれのアノード端子は基板８０に接続されている（アノードコモン）。
そして、これらのアノード端子は、基板８０裏面に設けられた裏面電極８５（後述の図７（ｂ）参照）であるＶｓｕｂ端子を介して電源ライン２００ａ（図４参照）に接続されている。この電源ライン２００ａには、基準電位供給部１６０から基準電位Ｖｓｕｂが供給される。
【００４４】
転送サイリスタＴの配列に沿って、奇数番目の転送サイリスタＴ１、Ｔ３、…のカソード端子は、第１転送信号線７２に接続されている。そして、第１転送信号線７２は、電流制限抵抗Ｒ１を介して、φ１端子に接続されている。このφ１端子には、第１転送信号ライン２０１ａ（図４参照）が接続され、第１転送信号φ１ａが送信される。
【００４５】
一方、転送サイリスタＴの配列に沿って、偶数番目の転送サイリスタＴ２、Ｔ４、…のカソード端子は、第２転送信号線７３に接続されている。そして、第２転送信号線７３は、電流制限抵抗Ｒ２を介して、φ２端子に接続されている。このφ２端子には、第２転送信号ライン２０２ａ（図４参照）が接続され、第２転送信号φ２ａが送信される。
【００４６】
設定サイリスタＳおよび設定許可サイリスタＳ０のカソード端子は、設定信号線７４に接続されている。そして、設定信号線７４は、電流制限抵抗ＲＷを介して、φＷ端子に接続されている。このφＷ端子には、設定信号ライン２０５（図４参照）が接続され、設定信号φＷ１が送信される。
また、設定許可サイリスタＳ０のゲート端子Ｇｓ０は、許可信号線７６と接続されている。許可信号線７６は、電流制限抵抗ＲＥを介して、φＥ端子に接続されている。このφＥ端子には、許可信号ライン２０３ａ（図４参照）が接続され、許可信号φＥａが送信される。
【００４７】
発光サイリスタＬのカソード端子は、点灯信号線７５に接続されている。そして、点灯信号線７５は、電流制限抵抗ＲＩを介して電源線７１に接続されている。電源線７１は、Ｖｇａ端子を介して電源ライン２００ｂ（図４参照）に接続されている。この電源ライン２００ｂには、電源電位供給部１７０から電源電位Ｖｇａが供給される。
【００４８】
消灯回路ＲＤは、電源線７１および点灯信号線７５に接続されている。また、消灯回路ＲＤはφＲ端子に接続されている。このφＲ端子には、消灯信号ライン２０４ａ（図４参照）が接続され、消灯信号φＲａが送信される。消灯回路ＲＤの詳細については後述する。
【００４９】
転送サイリスタＴのゲート端子Ｇｔ１、Ｇｔ２、Ｇｔ３、…は、同じ番号の設定サイリスタＳ１、Ｓ２、Ｓ３、…のゲート端子Ｇｓ１、Ｇｓ２、Ｇｓ３、…に、１対１で、それぞれ接続抵抗Ｒｘ１、Ｒｘ２、Ｒｘ３、…を介して接続されている。
【００５０】
一方、設定サイリスタＳ１、Ｓ２、Ｓ３、…のゲート端子Ｇｓ１、Ｇｓ２、Ｇｓ３、…は、同じ番号の発光サイリスタＬ１、Ｌ２、Ｌ３、…のゲート端子Ｇｌ１、Ｇｌ２、Ｇｌ３、…に、１対１で、それぞれ接続抵抗Ｒｙ１、Ｒｙ２、Ｒｙ３、…を介して接続されている。
また、発光サイリスタＬ１、Ｌ２、Ｌ３、…のゲート端子Ｇｌ１、Ｇｌ２、Ｇｌ３、…は、それぞれ接続抵抗Ｒｚ１、Ｒｚ２、Ｒｚ３、…を介して、電源線７１に接続されている。
【００５１】
ここでも、ゲート端子Ｇｔ１、Ｇｔ２、Ｇｔ３、…、ゲート端子Ｇｓ１、Ｇｓ２、Ｇｓ３、…、ゲート端子Ｇｌ１、Ｇｌ２、Ｇｌ３、…のそれぞれを区別しないときは、ゲート端子Ｇｔ、ゲート端子Ｇｓ、ゲート端子Ｇｌと表記する。
【００５２】
転送サイリスタＴ１、Ｔ２、Ｔ３、…のそれぞれのゲート端子Ｇｔ１、Ｇｔ２、Ｇｔ３、…を番号順に２個ずつペアとしたゲート端子Ｇｔ間に、結合ダイオードＤ１、Ｄ２、Ｄ３、…がそれぞれ接続されている。すなわち、結合ダイオードＤ１、Ｄ２、Ｄ３、…はそれぞれがゲート端子Ｇｔ１、Ｇｔ２、Ｇｔ３、…で順に挟まれるように直列接続されている。そして、結合ダイオードＤ１は、ゲート端子Ｇｔ１からゲート端子Ｇｔ２に向かって電流が流れる方向に接続されている。他の結合ダイオードＤ２、Ｄ３、Ｄ４、…についても同様である。
【００５３】
そして、転送サイリスタ列の一端側の転送サイリスタＴ１のゲート端子Ｇｔ１は、スタートダイオードＤ０のカソード端子に接続されている。一方、スタートダイオードＤ０のアノード端子は、第２転送信号線７３に接続されている。
【００５４】
なお、発光チップＣｂ１の場合には、φ１端子には、第１転送信号ライン２０１ｂ（図４参照）が接続され、第１転送信号φ１ｂが送信される。同様に、φ２端子には、第２転送信号ライン２０２ｂ（図４参照）が接続され、第２転送信号φ２ｂが送信される。
φＥ端子には、許可信号ライン２０３ｂが接続され、許可信号φＥｂが送信される。φＷ端子には、設定信号ライン２０５が接続され、設定信号φＷ１が送信される。φＲ端子には、消灯信号ライン２０４ｂが接続され、消灯信号φＲｂが送信される。
【００５５】
図７は、第１の実施の形態における発光チップＣの平面レイアウト図および断面図である。図７（ａ）は、発光チップＣの平面レイアウト図であって、発光サイリスタＬ１〜Ｌ４、設定サイリスタＳ１〜Ｓ４、転送サイリスタＴ１〜Ｔ４を中心とした部分を示している。図７（ｂ）は、図７（ａ）に示したＶＩＩＢ−ＶＩＩＢ線での断面図である。よって、図７（ｂ）の断面図には、図中下より発光サイリスタＬ１、接続抵抗Ｒｙ１（後述する図８参照）、接続抵抗Ｒｘ１、結合ダイオードＤ１、転送サイリスタＴ１の断面が示されている。なお、図７（ａ）および（ｂ）の図中には、主要な素子や端子を名前により表記している。
なお、図７（ａ）では、各素子間を接続する配線を実線で示している。そして、配線と各素子と配線を接続するために、各素子上に設けられる層間絶縁膜に開けられたスルーホールを黒丸（●）で表している。また、図７（ｂ）では、層間絶縁膜および配線の記載を省略している。
【００５６】
発光チップＣは、図７（ｂ）に示すように、例えばＧａＡｓやＧａＡｌＡｓなどの化合物半導体において、ｐ型の基板８０上に、ｐ型の第１半導体層８１、ｎ型の第２半導体層８２（ｎ型ゲート層）、ｐ型の第３半導体層８３（ｐ型ゲート層）およびｎ型の第４半導体層８４が順に積層されて構成されている。そして、ｐ型の第１半導体層８１、ｎ型の第２半導体層８２、ｐ型の第３半導体層８３、ｎ型の第４半導体層８４を連続してエッチングすることで相互に分離された複数の島（アイランド）（第１アイランド３０１〜第１１アイランド３１１および符号を付さないアイランド）に、前述した各素子が設けられている。
【００５７】
図７（ａ）に示すように、第１アイランド３０１は、平面形状がＵ字状である。Ｕ字状の中央部に発光サイリスタＬ１が、枝分かれした一方の部分に設定サイリスタＳ１および接続抵抗Ｒｘ１、Ｒｙ１が、枝分かれした他方の部分に接続抵抗Ｒｚ１が設けられている。
第２アイランド３０２は平面形状が長方形であって、転送サイリスタＴ１、結合ダイオードＤ１が設けられている。第３アイランド３０３は平面形状が長方形であって、設定許可サイリスタＳ０が設けられている。第４アイランド３０４も平面形状が長方形であって、スタートダイオードＤ０が設けられている。
第５アイランド３０５、第６アイランド３０６、第７アイランド３０７、第８アイランド３０８、第９アイランド３０９は平面形状が長方形であって、第５アイランド３０５には電流制限抵抗Ｒ１、第６アイランド３０６には電流制限抵抗Ｒ２、第７アイランド３０７には電流制限抵抗ＲＷ、第８アイランド３０８には電流制限抵抗ＲＥ、第９アイランド３０９には電流制限抵抗ＲＩがそれぞれ設けられている。
【００５８】
次に、図７において、消灯回路ＲＤについて説明する。
消灯回路ＲＤは、消灯サイリスタＲＴ、駆動サイリスタＤＴ、電流制限抵抗Ｒｃ、電流制限抵抗Ｒａｃ、電流制限抵抗Ｒｒｓ、電流制限抵抗Ｒｒｅを備えている。そして、消灯回路ＲＤは、第１０アイランド３１０、第１１アイランド３１１、第１２アイランド３１２、第１３アイランド３１３、第１４アイランド３１４、第１５アイランド３１５に設けられている。
第１０アイランド３１０は平面形状が正方形の部分とその正方形から突き出した部分とを有した形状であって、消灯サイリスタＲＴが設けられている。
第１１アイランド３１１は平面形状が正方形であって、駆動サイリスタＤＴが設けられている。
第１２アイランド３１２、第１３アイランド３１３、第１４アイランド３１４、第１５アイランド３１５はそれぞれの平面形状が長方形であって、第１２アイランド３１２には電流制限抵抗Ｒｃ、第１３アイランド３１３には電流制限抵抗Ｒｒｓ、第１４アイランド３１４には電流制限抵抗Ｒａｃ、第１５アイランド３１５には電流制限抵抗Ｒｒｅがそれぞれ設けられている。
【００５９】
発光チップＣには、第１アイランド３０１、第２アイランド３０２と同様なアイランド（符号なし）が、並列して設けられている。これらのアイランドには、発光サイリスタＬ２、Ｌ３、Ｌ４、…、設定サイリスタＳ２、Ｓ３、Ｓ４、…、転送サイリスタＴ２、Ｔ３、Ｔ４、…等が、第１アイランド３０１、第２アイランド３０２と同様に設けられている。これらについては、説明を省略する。
そしてまた、図７（ｂ）に示すように、基板８０の裏面にはＶｓｕｂ端子となる裏面電極８５が設けられている。
【００６０】
以下では、図７（ａ）および図７（ｂ）により、第１アイランド３０１〜第１５アイランド３１５について詳細に説明する。
第１アイランド３０１のＵ字状の中央部に設けられた発光サイリスタＬ１は、ｐ型の基板８０上のｐ型の第１半導体層８１をアノード端子、ｎ型の第４半導体層８４の領域３２１上に形成されたｎ型オーミック電極３４１をカソード端子、ｎ型の第４半導体層８４を除去して露出させたｐ型の第３半導体層８３上に形成されたｐ型オーミック電極３６１をゲート端子Ｇｌ１とする。そして、ｎ型オーミック電極３４１および点灯信号線７５で覆われた部分を除くｎ型の第４半導体層８４の領域３２１の表面（発光面３２１ａ）から光を放出する。なお、ｐ型オーミック電極３６１は、領域３２１に近接して設けられ、第１アイランド３０１のＵ字状に枝分かれした部分上に延びて設けられている。
【００６１】
第１アイランド３０１のＵ字状に枝分かれした一方の部分に設けられた設定サイリスタＳ１は、ｐ型の基板８０上のｐ型の第１半導体層８１をアノード端子、ｎ型の第４半導体層８４の領域３２２上に形成されたｎ型オーミック電極３４２をカソード端子、ｐ型の第３半導体層８３をゲート端子Ｇｓ１とする。このｐ型の第３半導体層８３がゲート層として機能する。なお、ゲート端子Ｇｓ１は個別の電極として構成されず、後述する接続抵抗Ｒｘ１および接続抵抗Ｒｙ１のｐ型の第３半導体層８３（抵抗として働く層）に連続している。
同じく、第１アイランド３０１に設けられた接続抵抗Ｒｘ１は、ｐ型の第３半導体層８３上に設けられたｐ型オーミック電極３６２と、設定サイリスタＳ１との間のｐ型の第３半導体層８３を抵抗としている。ｐ型オーミック電極３６２は、第１アイランド３０１のＵ字状に枝分かれした一方の先端部に設けられている。
接続抵抗Ｒｙ１は、設定サイリスタＳ１のゲート層の部分（ｎ型の領域３２２の下部に位置するｐ型の第３半導体層８３の部分）と、設定サイリスタＳ１とｐ型オーミック電極３６１（ゲート端子Ｇｌ１）との間のｐ型の第３半導体層８３の部分とから構成されている。
さらに、第１アイランド３０１に設けられた接続抵抗Ｒｚ１は、ｐ型の第３半導体層８３上に設けられたｐ型オーミック電極３６１（ゲート端子Ｇｌ１）と、ｐ型の第３半導体層８３上に設けられたｐ型オーミック電極３６３との間のｐ型の第３半導体層８３を抵抗としている。ｐ型オーミック電極３６３は、第１アイランド３０１のＵ字状に枝分かれした他方の先端部に設けられている。
なお、設定サイリスタＳ１がオフの状態からオンの状態になると、設定サイリスタＳ１のゲート層の部分の伝導率が変化（伝導率変調）する。これにより、接続抵抗Ｒｙ１の抵抗値は、設定サイリスタＳ１がオフの状態にあるときと、オンの状態にあるときとで異なる。これは、他の設定サイリスタＳおよび接続抵抗Ｒｙにおいても同様である。
【００６２】
第２アイランド３０２に設けられた結合ダイオードＤ１は、ｎ型の第４半導体層８４の領域３２３上に設けられたｎ型オーミック電極３４３をカソード端子、ｎ型の第４半導体層８４を除去して露出させたｐ型の第３半導体層８３上に設けられたｐ型オーミック電極３６４（ゲート端子Ｇｔ１）をアノード端子としている。
同じく、第２アイランド３０２に設けられた転送サイリスタＴ１は、ｐ型の基板８０上のｐ型の第１半導体層８１をアノード端子、ｎ型の第４半導体層８４の領域３２４上に形成されたｎ型オーミック電極３４４をカソード端子、ｐ型オーミック電極３６４をゲート端子Ｇｔ１としている。
なお、第１アイランド３０１、第２アイランド３０２と並列に設けられた他のアイランドも同様である。
【００６３】
第３アイランド３０３に設けられた設定許可サイリスタＳ０は、ｐ型の基板８０上のｐ型の第１半導体層８１をアノード端子、ｎ型の第４半導体層８４の領域３２５上に形成されたｎ型オーミック電極３４５をカソード端子、ｎ型の第４半導体層８４を除去して露出させたｐ型の第３半導体層８３上に形成されたｐ型オーミック電極３６５をゲート端子Ｇｓ０としている。
【００６４】
第４アイランド３０４に設けられたスタートダイオードＤ０は、ｎ型の第４半導体層８４の領域３２６上に設けられたｎ型オーミック電極３４６をカソード端子、ｎ型の第４半導体層８４を除去して露出させたｐ型の第３半導体層８３上に形成されたｐ型オーミック電極３６６をアノード端子としている。
【００６５】
第５アイランド３０５に設けられた電流制限抵抗Ｒ１、第６アイランド３０６に設けられた電流制限抵抗Ｒ２、第７アイランド３０７に設けられた電流制限抵抗ＲＷ、第８アイランド３０８に設けられた電流制限抵抗ＲＥ、第９アイランド３０９に設けられた電流制限抵抗ＲＩは、ｐ型の第３半導体層８３上に形成された一組のｐ型オーミック電極（符号なし）間のｐ型の第３半導体層８３を抵抗として形成されている。
【００６６】
第１０アイランド３１０には、消灯サイリスタＲＴが設けられている。第１０アイランド３１０は、前述したように平面形状が正方形の部分とその正方形から突き出した部分とを有している。そして、正方形の部分の中央部から正方形から突き出した部分に延びるようにｎ型の第４半導体層８４の領域３２７が設けられている。そして、領域３２７を取り囲むようにｎ型の第４半導体層８４が除去されてｐ型の第３半導体層８３が露出している。そして、消灯サイリスタＲＴは、ｐ型の基板８０上のｐ型の第１半導体層８１をアノード端子とし、正方形の部分の中央部のｎ型の第４半導体層８４の領域３２７上に設けられたｎ型オーミック電極３４７をカソード端子Ｋｒ１としている（図７（ａ）ではＫｒ１（３４７）と表記する。他も同様とする。）。さらに、正方形の部分から突き出した部分のｎ型の第４半導体層８４の領域３２７上にも、カソード端子Ｋｒ２として機能するｎ型オーミック電極３４８が設けられている。
そして、正方形の部分において、領域３２７を取り囲むｐ型の第３半導体層８３上に形成されたｐ型オーミック電極３６７を主ゲート端子Ｇｒ１とし、正方形の部分から突き出した部分の先端部において、ｐ型の第３半導体層８３上に形成されたｐ型オーミック電極３６８を補助ゲート端子Ｇｒ２としている。
【００６７】
そして、第１１アイランド３１１に設けられた駆動サイリスタＤＴは、ｐ型の基板８０上のｐ型の第１半導体層８１をアノード端子とし、ｎ型の第４半導体層８４の領域３２８上に設けられたｎ型オーミック電極３４９をカソード端子Ｋｄとしている。そして、ｎ型の第４半導体層８４の領域３２８を取り囲むように設けられたｐ型オーミック電極３６９をゲート端子Ｇｄとしている。
さらに、第１２アイランド３１２に設けられた電流制限抵抗Ｒｃ、第１３アイランド３１３に設けられた電流制限抵抗Ｒｒｓ、第１４アイランド３１４に設けられた電流制限抵抗Ｒａｃ、第１５アイランド３１５に設けられた電流制限抵抗Ｒｒｅは、ｐ型の第３半導体層８３上に形成された一組のｐ型オーミック電極（符号なし）間のｐ型の第３半導体層８３を抵抗として形成されている。
【００６８】
図７（ａ）において、各素子間の接続関係を説明する。
第１アイランド３０１の発光サイリスタＬ１のカソード端子であるｎ型オーミック電極３４１は、点灯信号線７５に接続されている。発光サイリスタＬ２、Ｌ３、Ｌ４、…についても同様である。点灯信号線７５は、第９アイランド３０９に設けられた電流制限抵抗ＲＩを介して、電源線７１に接続されている。電源線７１はＶｇａ端子に接続されている。また、点灯信号線７５は、第１０アイランド３１０に設けられた消灯サイリスタＲＴのｐ型オーミック電極３６７（主ゲート端子Ｇｒ１）に接続されている。
【００６９】
第１アイランド３０１の設定サイリスタＳ１のカソード端子であるｎ型オーミック電極３４２は設定信号線７４に接続されている。設定サイリスタＳ２、Ｓ３、Ｓ４、…についても同様である。また、第３アイランド３０３の設定許可サイリスタＳ０のカソード端子であるｎ型オーミック電極３４５も設定信号線７４に接続されている。設定信号線７４は、第７アイランド３０７に設けられた電流制限抵抗ＲＷを介して、φＷ端子に接続されている。
【００７０】
第１アイランド３０１のｐ型オーミック電極３６２は、第２アイランド３０２のｐ型オーミック電極３６４（ゲート端子Ｇｔ１）に接続されている。
【００７１】
第１アイランド３０１のｐ型オーミック電極３６３は、電源線７１に接続されている。第１アイランド３０１に並列する、第１アイランド３０１と同様なアイランドについても同様である。
【００７２】
第２アイランド３０２のｐ型オーミック電極３６４（ゲート端子Ｇｔ１）は、第４アイランド３０４に設けられたスタートダイオードＤ０のカソード端子であるｎ型オーミック電極３４６に接続されている。
第２アイランド３０２に設けられた転送サイリスタＴ１のカソード端子であるｎ型オーミック電極３４４は、第１転送信号線７２に接続されている。第１転送信号線７２は、第５アイランド３０５に設けられた電流制限抵抗Ｒ１を介して、φ１端子に接続されている。第２アイランド３０２に並列する、第２アイランド３０２と同様なアイランドに設けられた奇数番号の転送サイリスタＴ３、Ｔ５、…も同様である。
【００７３】
第２アイランド３０２に並列する第２アイランド３０２と同様なアイランドに設けられた偶数番号の転送サイリスタＴ２、Ｔ４、Ｔ６、…のカソード端子は、第２転送信号線７３に接続されている。第４アイランド３０４に設けられたスタートダイオードＤ０のアノード端子であるｐ型オーミック電極３６６も第２転送信号線７３に接続されている。そして、第２転送信号線７３は、第６アイランド３０６に設けられた電流制限抵抗Ｒ２を介して、φ２端子に接続されている。
【００７４】
第２アイランド３０２に設けられた結合ダイオードＤ１のカソード端子は、隣接する第２アイランド３０２と同様なアイランドに設けられた転送サイリスタＴ２のゲート端子Ｇｔ２であるｐ型オーミック電極３７０（ゲート端子Ｇｔ２）に接続されている。第２アイランド３０２に並列する第２アイランド３０２と同様なアイランドにおいても同様である。
【００７５】
そして、第３アイランド３０３に設けられた設定許可サイリスタＳ０のゲート端子であるｐ型オーミック電極３６５は、許可信号線７６に接続されている。許可信号線７６は、第８アイランド３０８に設けられた電流制限抵抗ＲＥを介して、φＥ端子に接続されている。
【００７６】
第１０アイランド３１０に設けられた消灯サイリスタＲＴのカソード端子Ｋｒ１であるｎ型オーミック電極３４７は、第１２アイランド３１２に設けられた電流制限抵抗Ｒｃを介して、電源線７１に接続されている。また、消灯サイリスタＲＴのカソード端子Ｋｒ１であるｎ型オーミック電極３４７は、駆動サイリスタＤＴのゲート端子Ｇｄであるｐ型オーミック電極３６９に接続されている。
ｎ型オーミック電極３４７と同様に、第１０アイランド３１０に設けられた消灯サイリスタＲＴのカソード端子であるｎ型オーミック電極３４８は、第１４アイランド３１４に設けられた電流制限抵抗Ｒａｃを介して、電源線７１に接続されている。
そして、消灯サイリスタＲＴの主ゲート端子Ｇｒ１であるｐ型オーミック電極３６７は、点灯信号線７５に接続されている。
一方、消灯サイリスタＲＴの補助ゲート端子Ｇｒ２であるｐ型オーミック電極３６８は、第１３アイランド３１３に設けられた電流制限抵抗Ｒｒｓを介して、電源線７１に接続されている。また、補助ゲート端子Ｇｒ２であるｐ型オーミック電極３６８は、φＲ端子に接続されている。
【００７７】
そして、第１１アイランド３１１に設けられた駆動サイリスタＤＴのカソード端子Ｋｄであるｎ型オーミック電極３４９は、第１５アイランド３１５に設けられた電流制限抵抗Ｒｒｅを介して、φＲ端子に接続されている。前述したように、駆動サイリスタＤＴのゲート端子Ｇｄであるｐ型オーミック電極３６９は、消灯サイリスタＲＴのカソード端子Ｋｒ１であるｎ型オーミック電極３４７に接続されている。
【００７８】
次に、消灯回路ＲＤをより詳細に説明する。
図８は、第１の実施の形態における消灯回路ＲＤの平面レイアウト図および断面図である。図８（ａ）は消灯回路ＲＤの平面図、図８（ｂ）は、図８（ａ）のＶＩＩＩＢ−ＶＩＩＩＢ線での消灯サイリスタＲＴの断面図である。消灯サイリスタＲＴの平面図は、図７（ａ）に示したが、断面図との対比のために図８（ａ）にも示している。
【００７９】
前述したように、消灯回路ＲＤは、消灯サイリスタＲＴと駆動サイリスタＤＴとを備えている。
そして、消灯サイリスタＲＴが形成された第１０アイランド３１０は、平面形状が正方形の部分とその正方形から突き出した部分とを有している。正方形の部分の中央部から、正方形から突き出した部分に延びるようにｎ型の第４半導体層８４の領域３２７が設けられている。そして、領域３２７を取り囲むようにｎ型の第４半導体層８４が除去されてｐ型の第３半導体層８３が露出している。そして、消灯サイリスタＲＴは、ｐ型の基板８０上のｐ型の第１半導体層８１をアノード端子とし、第１０アイランド３１０の正方形の部分のｎ型の第４半導体層８４の領域３２７上に設けられたｎ型オーミック電極３４７をカソード端子Ｋｒ１、ｎ型オーミック電極３４８をカソード端子Ｋｒ２としている。
そして、消灯サイリスタＲＴは、正方形の部分において、領域３２７を取り囲むｐ型の第３半導体層８３上に形成されたｐ型オーミック電極３６７を主ゲート端子Ｇｒ１としている。
一方、正方形の部分から突き出した部分の先端部の、ｐ型の第３半導体層８３上に形成されたｐ型オーミック電極３６８を補助ゲート端子Ｇｒ２としている。
【００８０】
主ゲート端子Ｇｒ１と補助ゲート端子Ｇｒ２とは、第１０アイランド３１０上で、離して設けられている。すなわち、図８（ｂ）に示すように、主ゲート端子Ｇｒ１と補助ゲート端子Ｇｒ２との間のｐ型の第３半導体層８３が、電流制限抵抗Ｒｒとして働くように設けられている。図８（ｂ）では、電流制限抵抗Ｒｒは、主ゲート端子Ｇｒ１（ｐ型オーミック電極３６７）が領域３２７に対向する位置αから、補助ゲート端子Ｇｒ２（ｐ型オーミック電極３６８）が領域３２７に対向する位置εまでのｐ型の第３半導体層８３として示している。しかし、図８（ａ）に示すように、主ゲート端子Ｇｒ１（ｐ型オーミック電極３６７）は、領域３２７上のｎ型オーミック電極３４７（カソード端子）を取り囲んで設けられている。よって、電流制限抵抗Ｒｒとして働くのは、主ゲート端子Ｇｒ１の外側の位置γから位置εまでである。
なお、図８（ｂ）では、位置γにおいて、主ゲート端子Ｇｒ１が現れないので、位置αを主ゲート端子Ｇｒ１の端として示している。また、主ゲート端子Ｇｒ１に隣接するｎ型の第４半導体層８４の領域３２７の端を位置βとする。同様に、補助ゲート端子Ｇｒ２に隣接するｎ型の第４半導体層８４の領域３２７の端を位置δとする。
【００８１】
また、図８（ｂ）に示すように、カソード端子Ｋｒ１（ｎ型オーミック電極３４７）とカソード端子Ｋｒ２（ｎ型オーミック電極３４８）との間には寄生抵抗Ｒｐが存在する。この寄生抵抗Ｒｐは、カソード端子Ｋｒ１おける電位の変化が、ｎ型の第４半導体層８４の領域３２７の全体に及ぶのを遅延させる。このため、カソード端子Ｋｒ２を設けて、カソード端子Ｋｒ１おける電位の変化が、ｎ型の第４半導体層８４の領域３２７の全体に及ぶときの遅延を抑制している。よって、寄生抵抗Ｒｐによる電位の変化に対する遅延を抑制しない場合には、カソード端子Ｋｒ２を設けなくともよい。
【００８２】
一方、第１１アイランド３１１に設けられた駆動サイリスタＤＴは、ｐ型の基板８０上のｐ型の第１半導体層８１をアノード端子とし、ｎ型の第４半導体層８４の領域３２８上に設けられたｎ型オーミック電極３４９をカソード端子Ｋｄとしている。そして、ｎ型の第４半導体層８４の領域３２８を取り囲むように設けられたｐ型オーミック電極３６９をゲート端子Ｇｄとしている。
【００８３】
そして、図８（ａ）には、第９アイランド３０９、第１２アイランド３１２、第１３アイランド３１３、第１４アイランド３１４、第１５アイランド３１５に設けられた電流制限抵抗ＲＩ、Ｒｃ、Ｒａｃ、Ｒｒｓ、Ｒｒｅを示している。
一方、図８（ｂ）では、電流制限抵抗ＲＩ、Ｒｃ、Ｒａｃ、Ｒｒｓ、Ｒｒｅを、記号で示している。
前述したように、Ｖｇａ端子は、電流制限抵抗Ｒｃを介してカソード端子Ｋｒ１（ｎ型オーミック電極３４７）に接続され、電流制限抵抗Ｒａｃを介してカソード端子Ｋｒ２（ｎ型オーミック電極３４８）に接続され、電流制限抵抗Ｒｒｓを介して補助ゲート端子Ｇｒ２（ｐ型オーミック電極３６８）に接続され、さらに電流制限抵抗ＲＩを介して点灯信号線７５に接続されている。
点灯信号線７５は、主ゲート端子Ｇｒ１（ｐ型オーミック電極３６７）に接続されている。
φＲ端子は、電流制限抵抗Ｒｒｅを介して駆動サイリスタＤＴのカソード端子Ｋｄ（ｎ型オーミック電極３４９）に接続されるとともに、消灯サイリスタＲＴの補助ゲート端子Ｇｒ２（ｐ型オーミック電極３６８）に接続されている。
また、駆動サイリスタＤＴのゲート端子Ｇｄ（ｐ型オーミック電極３６９）は、消灯サイリスタＲＴのカソード端子Ｋｒ１（ｎ型オーミック電極３４７）に接続されている。
そして、基板８０裏面には、裏面電極８５が設けられ、基準電位Ｖｓｕｂが供給される。
【００８４】
また、第１の実施の形態では、図８（ｂ）に示すように、消灯信号発生部１４０（消灯信号発生部１４０ａまたは消灯信号発生部１４０ｂ）は３ステートバッファＢｕｆを備え、３ステートバッファＢｕｆが消灯信号φＲを送信するとする。すなわち、消灯信号φＲは、例として、第１の状態の一例としてのハイレベルの電位（以下、「Ｈ」と記す。）の状態として０Ｖの状態、第２の状態の一例としてのローレベルの電位（以下、「Ｌ」と記す。）の状態として−３．３Ｖの状態、高出力インピーダンス（ハイインピーダンス）（以下では、「Ｈｉ−Ｚ」と記す。）の状態を有する。なお、消灯信号φＲは、３ステートバッファＢｕｆが制御信号を受信することで「Ｈｉ−Ｚ」になる。ここでは、３ステートバッファＢｕｆを制御する制御信号についての説明を省略する。
【００８５】
点灯信号線７５に接続された主ゲート端子Ｇｒ１は、ｎ型の第４半導体層８４の領域３２７を取り囲むとともに、大きな面積で構成されている。これは、オン状態の発光サイリスタＬに流れる電流を引き込んで、発光サイリスタＬのカソード端子の電位を点灯が維持できる電圧（維持電圧）より高い電位に移行して、発光サイリスタＬをオフ状態（消灯状態）に移行させるためである。すなわち、消灯サイリスタＲＴはオフ状態からオン状態に移行（ターンオン）することで、オン状態の発光サイリスタＬをオフ状態に移行させる。このため、主ゲート端子Ｇｒ１は、大きな電流を流すことができるように大きな面積を有することが好ましい。消灯サイリスタＲＴの動作については後述する。
【００８６】
ここで、サイリスタ（発光サイリスタＬ、転送サイリスタＴ、設定サイリスタＳ、設定許可サイリスタＳ０、消灯サイリスタＲＴ、駆動サイリスタＤＴ）の基本的な動作（基本動作）を説明する。次に、転送サイリスタＴ、設定サイリスタＳ、発光サイリスタＬを組み合わせた場合の動作を説明する。そして、消灯サイリスタＲＴおよび駆動サイリスタＤＴの動作を説明する。
【００８７】
＜サイリスタの基本動作＞
サイリスタは、アノード端子、カソード端子、ゲート端子の３端子を有する半導体素子である。
以下では、例として、図６、図７に示したように発光チップＣのＶｓｕｂ端子（サイリスタのアノード端子）に供給される基準電位Ｖｓｕｂを「Ｈ」と同じ０Ｖ、Ｖｇａ端子に供給される電源電位Ｖｇａを「Ｌ」と同じ−３．３Ｖとする。よって、基準電位Ｖｓｕｂ（「Ｈ」（０Ｖ））、電源電位Ｖｇａ（「Ｌ」（−３．３Ｖ））と表記する。
そして、サイリスタは、図７（ｂ）に示したように、ＧａＡｓ、ＧａＡｌＡｓ等によるｐ型の基板８０上に、ｐ型の半導体層（第１半導体層８１、第３半導体層８３）、ｎ型の半導体層（第２半導体層８２、第４半導体層８４）を積層して構成されているとし、ｐｎ接合の拡散電位（順方向電位）Ｖｄを１．５Ｖとする。
ここでは、消灯信号φＲを除く、第１転送信号φ１（第１転送信号φ１ａ、φ１ｂ）、第２転送信号φ２（第２転送信号φ２ａ、φ２ｂ）、許可信号φＥ（許可信号φＥａ、φＥｂ）、設定信号φＷ（設定信号φＷ１〜φＷ２０）は、「Ｈ」と「Ｌ」とを有するとする。よって、第１の実施の形態では、発光装置６５および発光チップＣは、「Ｈ」（０Ｖ）と「Ｌ」（−３．３Ｖ）とを有する単一電源で駆動できる。なお、基準電位Ｖｓｕｂおよび電源電位Ｖｇａを、これらの信号の「Ｈ」および「Ｌ」と異なる電位に設定してもよい。また、これらの信号間において、互いに異なる電位レベルを用いてもよい。
【００８８】
オフ状態のサイリスタでは、アノード端子とカソード端子との間に流れる電流がオン状態に比べ小さい。オフ状態のサイリスタは、しきい電圧より低い電位（絶対値が大きい負の電位）がカソード端子に印加されるとオン状態に移行（ターンオン）する。サイリスタは、ターンオンすると、アノード端子とカソード端子との間にオフ状態に比べ大きな電流が流れる状態（オン状態）になる。ここで、サイリスタのしきい電圧は、ゲート端子の電位から拡散電位Ｖｄを引いた値である。よって、サイリスタのゲート端子の電位が−１．５Ｖであると、しきい電圧は−３Ｖとなる。すなわち、−３Ｖより低い電位がカソード端子に印加されると、サイリスタがターンオンする。例えば、サイリスタのゲート端子の電位が０Ｖであると、しきい電圧は−１．５Ｖとなる。
オン状態のサイリスタのゲート端子は、サイリスタのアノード端子の電位に近い電位になる。ここでは、アノード端子を「Ｈ」（０Ｖ）に設定しているので、ゲート端子の電位は「Ｈ」（０Ｖ）になるとして説明する。また、オン状態のサイリスタのカソード端子は、アノード端子の電位（「Ｈ」（０Ｖ））からｐｎ接合の拡散電位Ｖｄ（１．５Ｖ）を引いた電位になる。しかし、カソード端子の電位は、寄生抵抗（内部抵抗）の影響を受けるため、拡散電位Ｖｄで決まる−１．５Ｖより低い値になる。例えば、発光サイリスタＬにおいて、寄生抵抗を２０Ωとすると、オン状態における２０ｍＡの電流により、０．４Ｖの電圧降下が生じる。よって、発光サイリスタＬでは、カソード端子の電位は−１．９Ｖとなる。以下では、点灯している発光サイリスタＬのカソード端子の電位を、一例として−１．９Ｖであるとして説明する。
なお、オン状態において流れる電流が発光サイリスタＬより小さい転送サイリスタＴ、設定サイリスタＳ、消灯サイリスタＲＴ、駆動サイリスタＤＴでは、カソード端子の電位は、−１．５Ｖと−１．９Ｖとの間になる。以下では、転送サイリスタＴ、設定サイリスタＳ、消灯サイリスタＲＴ、駆動サイリスタＤＴのカソード端子の電位を、一例として−１．５Ｖより低い電位（−１．６Ｖ）として説明する。
【００８９】
サイリスタは、一度ターンオンすると、カソード端子の電位がオン状態を維持するために必要な電位（維持電位）より低い電位（絶対値が大きい負の電位）である間は、オン状態を維持する。オン状態の発光サイリスタＬのカソード端子の電位は−１．９Ｖである。よって、カソード端子に−１．９Ｖより低い電位が継続的に印加され、オン状態を維持しうる電流が供給されると、発光サイリスタＬはオン状態を維持する。この場合の維持電位は−１．９Ｖである。同様に、転送サイリスタＴ、設定サイリスタＳ、消灯サイリスタＲＴ、駆動サイリスタＤＴでは、維持電圧は−１．６Ｖである。
一方、オン状態のサイリスタは、カソード端子に維持電位より高い電位が印加されると、オフ状態に移行（ターンオフ）する。例えば、カソード端子が「Ｈ」（０Ｖ）になれば、カソード端子の電位が維持電圧より高くなるので、サイリスタはターンオフする。また、カソード端子が「Ｈ」（０Ｖ）になると、アノード端子の電位とカソード端子の電位とが同じとなる。
そして、オン状態のサイリスタは、ゲート端子の電位を変えてもオフ状態に移行しない。すなわち、サイリスタはオン状態を維持（記憶、保持）する機能を有している。
【００９０】
発光サイリスタＬは、ターンオンすると点灯（発光）し、ターンオフすると消灯（非点灯）する。オン状態の発光サイリスタＬの発光出力（輝度）は、カソード端子とアノード端子間に流す電流によって決められる。なお、転送サイリスタＴ、設定サイリスタＳ、設定許可サイリスタＳ０、消灯サイリスタＲＴもターンオンにより発光することがある。発光量が大きいと画像形成に影響を及ぼすので、発光量を小さくするとともに、遮光等により画像形成に及ぼす影響を抑制している。
【００９１】
＜転送サイリスタＴ、設定サイリスタＳ、発光サイリスタＬの動作＞
図６に示すように、転送サイリスタＴのゲート端子Ｇｔは、接続抵抗Ｒｘを介して設定サイリスタＳのゲート端子Ｇｓと接続されている。設定サイリスタＳのゲート端子Ｇｓは、接続抵抗Ｒｙを介して発光サイリスタＬのゲート端子Ｇｌと接続されている。発光サイリスタＬのゲート端子Ｇｌは、接続抵抗Ｒｚを介して電源線７１と接続されている。
ゲート端子Ｇｓ、Ｇｌのそれぞれの電位は、ゲート端子Ｇｔ、Ｇｓの電位と接続抵抗Ｒｘ、Ｒｙ、Ｒｚの抵抗値とで決められる。そして、設定サイリスタＳ、発光サイリスタＬのしきい電圧は、ゲート端子Ｇｓ、Ｇｌのそれぞれの電位によって決められる。
なお、接続抵抗Ｒｙは、設定サイリスタＳのゲート層を含んでいる。前述したように、設定サイリスタＳのゲート層は、設定サイリスタＳがターンオンすると、伝導率の変化（伝導率変調）により、抵抗値が小さくなる。よって、接続抵抗Ｒｙは、設定サイリスタＳがオフ状態のときとオン状態のときとで異なる。
【００９２】
ここでは、接続抵抗Ｒｘの抵抗値を２ｋΩ、接続抵抗Ｒｚの抵抗値を６ｋΩとして説明する。そして、接続抵抗Ｒｙの抵抗値は、設定サイリスタＳがオフ状態のとき１６ｋΩ、設定サイリスタＳがオン状態のとき０．８ｋΩとする。
なお、電源線７１に供給される電源電位Ｖｇａは−３．３Ｖである。
【００９３】
転送サイリスタＴのゲート端子Ｇｔの電位は、後述するように、０Ｖ、−１．５Ｖ、−３Ｖの場合がある。設定サイリスタＳおよび発光サイリスタＬがオフ状態のときの、ゲート端子Ｇｓ、Ｇｌの電位を説明する。なお、数値は、小数点以下３桁目を四捨五入して示している。
まず、設定サイリスタＳがオフ状態であるときを説明する。このとき、接続抵抗Ｒｙは１６ｋΩである。
ゲート端子Ｇｔの電位が０Ｖであると、ゲート端子Ｇｓの電位は−０．２８Ｖとなり、設定サイリスタＳのしきい電圧は−１．７８Ｖとなる。同様に、ゲート端子Ｇｌの電位は−２．４８Ｖとなり、発光サイリスタＬのしきい電圧は−３．９８Ｖとなる。
ゲート端子Ｇｔの電位が−１．５Ｖであると、ゲート端子Ｇｓの電位は−１．６５Ｖとなり、設定サイリスタＳのしきい電圧は−３．１５Ｖとなる。同様に、ゲート端子Ｇｌの電位は−２．８５Ｖとなり、発光サイリスタＬのしきい電圧は−４．３５Ｖとなる。
ゲート端子Ｇｔの電位が−３Ｖであると、ゲート端子Ｇｓの電位は−３．０３Ｖとなり、設定サイリスタＳのしきい電圧は−４．５３Ｖとなる。同様に、ゲート端子Ｇｌの電位は−３．２３Ｖとなり、発光サイリスタＬのしきい電圧は−４．７３Ｖとなる。
【００９４】
次に、設定サイリスタＳがオン状態であるときを説明する。このとき、接続抵抗Ｒｙは０．８ｋΩである。
設定サイリスタＳがオン状態であると、ゲート端子Ｇｓの電位が「Ｈ」（０Ｖ）になるので、ゲート端子Ｇｌの電位は−０．３９Ｖになり、発光サイリスタＬのしきい電圧は−１．８９Ｖになる。
【００９５】
以上説明したように、ゲート端子Ｇｓ、Ｇｌのそれぞれの電位は、ゲート端子Ｇｔ、Ｇｓの電位と接続抵抗Ｒｘ、Ｒｙ、Ｒｚの抵抗値とで決められる。
なお、接続抵抗Ｒｘ、Ｒｙ、Ｒｚのそれぞれの抵抗値は、後述する動作が実現できればよく、他の抵抗値であってもよい。
【００９６】
＜消灯回路ＲＤの動作＞
次に、消灯回路ＲＤの動作を説明する。
後述するように、φＲ端子が受信する消灯信号φＲは、「Ｌ」（−３．３Ｖ）から「Ｈ」（０Ｖ）に移行するときに、消灯サイリスタＲＴがターンオンして、点灯信号線７５の電位を「Ｈ」（０Ｖ）にする。
図９は、消灯信号φＲに対する消灯サイリスタＲＴなどの状態を説明する図である。図９（ａ）は、消灯信号φＲに対する消灯サイリスタＲＴ、駆動サイリスタＤＴ、点灯信号線７５のそれぞれの状態を説明する図であり、図９（ｂ）は、消灯信号φＲに対する消灯サイリスタＲＴの状態遷移を説明する図である。なお、図９（ａ）、（ｂ）では、オン状態を“ｏｎ”、オフ状態を“ｏｆｆ”として表記する。
【００９７】
図８（ａ）、（ｂ）を参照しつつ、図９（ａ）により、消灯信号φＲに対する消灯サイリスタＲＴ、駆動サイリスタＤＴ、点灯信号線７５のそれぞれの状態を説明する。
前述したように、消灯信号φＲは、「Ｈ」（０Ｖ）、「Ｌ」（−３．３Ｖ）、高抵抗（ハイインピーダンス）状態（以下では、「Ｈｉ−Ｚ」で示す。）を有している。
まず、消灯サイリスタＲＴがオフ状態にあって、消灯信号φＲが「Ｈｉ−Ｚ」であるとする。なお、図９（ａ）では、後述する「Ｌ」からの変化を（  ）を付して示している。
【００９８】
このとき、消灯サイリスタＲＴはオフ状態にあるので、オン状態と異なって、カソード端子Ｋｒ１（ｎ型オーミック電極３４７）、Ｋｒ２（ｎ型オーミック電極３４８）、主ゲート端子Ｇｒ１（ｐ型オーミック電極３６７）、補助ゲート端子Ｇｒ２（ｐ型オーミック電極３６８）はいずれも、消灯サイリスタＲＴによって電位が設定されることがない。
消灯サイリスタＲＴのカソード端子Ｋｒ１（ｎ型オーミック電極３４７）、Ｋｒ２（ｎ型オーミック電極３４８）は、それぞれ電流制限抵抗Ｒｃ、Ｒａｃを介して、Ｖｇａ端子（「Ｌ」（−３．３Ｖ））に接続されているので、「Ｌ」（−３．３Ｖ）である。また、補助ゲート端子Ｇｒ２（ｐ型オーミック電極３６８）は、電流制限抵抗Ｒｒｓを介して、Ｖｇａ端子（「Ｌ」（−３．３Ｖ））に接続されているので、「Ｌ」（−３．３Ｖ）である。
【００９９】
また、消灯信号φＲが「Ｈｉ−Ｚ」であるので、駆動サイリスタＤＴのカソード端子Ｋｄ（ｎ型オーミック電極３４９）は、電流制限抵抗Ｒｒｅおよび電流制限抵抗Ｒｒｓを介してＶｇａ端子（「Ｌ」（−３．３Ｖ））に接続されているので、「Ｌ」（−３．３Ｖ）である。同様に、ゲート端子Ｇｄ（ｐ型オーミック電極３６９）も電流制限抵抗Ｒｃを介してＶｇａ端子（「Ｌ」（−３．３Ｖ））に接続されているので、「Ｌ」（−３．３Ｖ）である。よって、カソード端子Ｋｄ（ｎ型オーミック電極３４９）とゲート端子Ｇｄ（ｐ型オーミック電極３６９）とが同電位であるため、駆動サイリスタＤＴは、ターンオンできずオフ状態を維持する。
そして、点灯信号線７５は、電流制限抵抗ＲＩを介してＶｇａ端子（「Ｌ」（−３．３Ｖ））に接続されているので、「Ｌ」（−３．３Ｖ）である。よって、点灯信号線７５に接続された消灯サイリスタＲＴの主ゲート端子Ｇｒ１も「Ｌ」（−３．３Ｖ）である。
【０１００】
すなわち、消灯サイリスタＲＴがオフ状態であって、消灯信号φＲが「Ｈｉ−Ｚ」であるときは、駆動サイリスタＤＴもオフ状態である。そして、消灯サイリスタＲＴのカソード端子Ｋｒ１（ｎ型オーミック電極３４７）、Ｋｒ２（ｎ型オーミック電極３４８）、主ゲート端子Ｇｒ１（ｐ型オーミック電極３６７）、補助ゲート端子Ｇｒ２（ｐ型オーミック電極３６８）はすべて「Ｌ」（−３．３Ｖ）である。
また、駆動サイリスタＤＴのカソード端子Ｋｄ（ｎ型オーミック電極３４９）およびゲート端子Ｇｄ（ｐ型オーミック電極３６９）も「Ｌ」（−３．３Ｖ）である。
【０１０１】
消灯信号φＲが「Ｈｉ−Ｚ」から「Ｈ」（０Ｖ）に移行すると、消灯サイリスタＲＴの補助ゲート端子Ｇｒ２（ｐ型オーミック電極３６８）が「Ｌ」（−３．３Ｖ）から「Ｈ」（０Ｖ）になる。すると、補助ゲート端子Ｇｒ２（ｐ型オーミック電極３６８）に近接する位置δにおけるしきい電圧は、補助ゲート端子Ｇｒ２の電位（「Ｈ」（０Ｖ））から拡散電位Ｖｄ（１．５Ｖ）を引いた−１．５Ｖより低くかつ−３．３Ｖより高い値になる。位置δに近接して設けられているカソード端子Ｋｒ２（ｎ型オーミック電極３４８）は「Ｌ」（−３．３Ｖ）であるので、消灯サイリスタＲＴは位置δにおいてターンオンを開始する。そして、位置βに向かって、ターンオンが広がっていく。ついには、消灯サイリスタＲＴの全体がターンオンする。消灯サイリスタＲＴがオン状態になると、主ゲート端子Ｇｒ１（ｐ型オーミック電極３６７）、補助ゲート端子Ｇｒ２（ｐ型オーミック電極３６８）が「Ｈ」（０Ｖ）になる。すると、主ゲート端子Ｇｒ１（ｐ型オーミック電極３６７）に接続された点灯信号線７５の電位が「Ｈ」（０Ｖ）になる。また、消灯サイリスタＲＴがオン状態になることで、カソード端子Ｋｒ１（ｎ型オーミック電極３４７）、Ｋｒ２（ｎ型オーミック電極３４８）がアノード端子の電位（０Ｖ）から拡散電位Ｖｄ（−１．５Ｖ）を引いた−１．５Ｖに近い電位（−１．６Ｖ）に移行する。すると、駆動サイリスタＤＴのゲート端子Ｇｄ（ｐ型オーミック電極３６９）も−１．６Ｖになって、駆動サイリスタＤＴのしきい電圧が−３．１Ｖになる。
このとき、電流制限抵抗ＲＩが、Ｖｇａ端子の電源電位Ｖｇａ（「Ｌ」（−３．３Ｖ））と点灯信号線７５の「Ｈ」（０Ｖ）との電位差を保持する。
また、電流制限抵抗Ｒｃ、Ｒａｃが、Ｖｇａ端子（「Ｌ」（−３．３Ｖ））とカソード端子Ｋｒ１（ｎ型オーミック電極３４７）、Ｋｒ２（ｎ型オーミック電極３４７）の−１．６Ｖとの電位差を保持する。
【０１０２】
なお、カソード端子Ｋｒ２（ｎ型オーミック電極３４８）は、位置δにおいてターンオンが速やかに開始するように、「Ｌ」（−３．３Ｖ）を供給する。
ここで、「Ｌ」（−３．３Ｖ）は、カソード端子Ｋｒ１（ｎ型オーミック電極３４７）にも供給されている。よって、ｎ型の第４半導体層８４の領域３２７の寄生抵抗Ｒｐが小さく、位置δでのターンオンが速やかに開始し、消灯サイリスタＲＴのターンオンが予め定められた期間内に行われれば、カソード端子Ｋｒ２（ｎ型オーミック電極３４８）を設けなくともよい。
【０１０３】
そして、消灯サイリスタＲＴをターンオンさせるときに、「Ｈｉ−Ｚ」から「Ｈ」に移行したφＲ端子から、電流制限抵抗Ｒｒｓを介してＶｇａ端子（「Ｌ」（−３．３Ｖ））に流れる電流は、電流制限抵抗Ｒｒｓを３．３ｋΩとすると１ｍＡである。
【０１０４】
次に、消灯信号φＲを「Ｈ」（０Ｖ）から「Ｌ」（−３．３Ｖ）に移行すると、しきい電圧が−３．１Ｖである駆動サイリスタＤＴがターンオンする。
すると、駆動サイリスタＤＴのゲート端子Ｇｄ（ｐ型オーミック電極３６９）が「Ｈ」（０Ｖ）に設定される。これにより、消灯サイリスタＲＴのカソード端子Ｋｒ１（ｎ型オーミック電極３４７）が「Ｈ」（０Ｖ）になる。そして、寄生抵抗Ｒｐを介して、カソード端子Ｋｒ２（ｎ型オーミック電極３４８）が「Ｈ」（０Ｖ）になる。すなわち、消灯サイリスタＲＴのカソードとして働くｎ型の第４半導体層８４の領域３２７の全域が「Ｈ」（０Ｖ）になり、消灯サイリスタＲＴがターンオフする。消灯サイリスタＲＴがオフ状態になると、消灯サイリスタＲＴのカソード端子Ｋｒ１（ｎ型オーミック電極３４７）、Ｋｒ２（ｎ型オーミック電極３４８）、主ゲート端子Ｇｒ１（ｐ型オーミック電極３６７）、補助ゲート端子Ｇｒ２（ｐ型オーミック電極３６８）は、いずれも消灯サイリスタＲＴによって電位が設定されることがない。
よって、消灯サイリスタＲＴの主ゲート端子Ｇｒ１（ｐ型オーミック電極３６７）により「Ｈ」（０Ｖ）に設定されていた点灯信号線７５は、電流制限抵抗ＲＩを介して、Ｖｇａ端子の電源電位Ｖｇａ（「Ｌ」（−３．３Ｖ））になる。これにより、消灯サイリスタＲＴの主ゲート端子Ｇｒ１（ｐ型オーミック電極３６７）も「Ｌ」（−３．３Ｖ）になる。また、補助ゲート端子Ｇｒ２（ｐ型オーミック電極３６８）が「Ｌ」（−３．３Ｖ）になるので、消灯サイリスタＲＴのしきい電圧は−４．８Ｖとなる。そして、カソード端子Ｋｒ１（ｎ型オーミック電極３４７）、Ｋｒ２（ｎ型オーミック電極３４８）は、電流制限抵抗Ｒｃ、Ｒａｃを介して接続されたＶｇ端子（「Ｌ」（−３．３Ｖ））の「Ｌ」（−３．３Ｖ）になる。
【０１０５】
そして、消灯信号φＲを「Ｌ」（−３．３Ｖ）から「Ｈｉ−Ｚ」に移行すると、駆動サイリスタＤＴがターンオフする。なお、消灯サイリスタＲＴの補助ゲート端子Ｇｒ２（ｐ型オーミック電極３６８）は、電流制限抵抗Ｒｒｓを介して、Ｖｇａ端子の電源電位Ｖｇａ（「Ｌ」（−３．３Ｖ））に維持されるので、「Ｌ」（−３．３Ｖ）である。よって、消灯サイリスタＲＴのしきい電圧は−４．８Ｖであって、消灯サイリスタＲＴはオフ状態を維持する。
このようにして、消灯サイリスタＲＴおよび駆動サイリスタＤＴがともにオフであって、点灯信号線７５が電源電位Ｖｇａ（「Ｌ」（−３．３Ｖ））である状態に戻る。
【０１０６】
以上説明したように、消灯信号φＲが「Ｈｉ−Ｚ」から「Ｈ」（０Ｖ）に移行すると、消灯サイリスタＲＴがターンオンして、点灯信号線７５を「Ｈ」（０Ｖ）に設定する。消灯信号φＲが「Ｈ」（０Ｖ）から「Ｌ」（−３．３Ｖ）に移行すると、駆動サイリスタＤＴがターンオンして、オン状態の消灯サイリスタＲＴをターンオフするとともに、点灯信号線７５を「Ｈ」（０Ｖ）から電源電位Ｖｇａ（「Ｌ」（−３．３Ｖ））に設定する。
そして、消灯信号φＲが「Ｈｉ−Ｚ」になると、オン状態の駆動サイリスタＤＴがターンオフする。このとき、消灯サイリスタＲＴはオフ状態を維持し、点灯信号線７５は電源電位Ｖｇａ（「Ｌ」（−３．３Ｖ））を維持する。
すなわち、オン状態の消灯サイリスタＲＴをターンオフするため、駆動サイリスタＤＴをターンオンして、消灯サイリスタＲＴのカソード（カソード端子Ｋｒ１、Ｋｒ２）を「Ｈ」（０Ｖ）としている。
そして、消灯サイリスタＲＴがオン状態にあるときは、駆動サイリスタＤＴはオフ状態にあり、駆動サイリスタＤＴがオン状態にあるときは、消灯サイリスタＲＴはオフ状態にある。
【０１０７】
なお、点灯信号線７５が「Ｌ」（−３．３Ｖ）であるとき、点灯信号線７５に接続された発光サイリスタＬがターンオンして、点灯信号線７５の電位を−１．９Ｖに設定する。一方、補助ゲート端子Ｇｒ２の電位は「Ｌ」（−３．３Ｖ）に設定されている。すると、主ゲート端子Ｇｒ１と補助ゲート端子Ｇｒ２との間で、電位が異なる。よって、消灯サイリスタＲＴの主ゲート端子Ｇｒ１に対向する位置βのしきい電圧が−３．４Ｖより低く（ただし、−４．８Ｖより高い）なり、補助ゲート端子Ｇｒ２に対向する位置δでのしきい電圧が−４．８Ｖより高く（ただし、−３．４Ｖより低い）なる。このとき、カソード端子Ｋｒ１、Ｋｒ２の電位は「Ｌ」（−３．３Ｖ）であるが、消灯サイリスタＲＴはターンオンすることがない。
【０１０８】
なお、消灯信号φＲを、「Ｌ」（−３．３Ｖ）から「Ｈｉ−Ｚ」に移行させることなく、「Ｌ」（−３．３Ｖ）に維持してもよい。すなわち、消灯信号φＲを「Ｌ」（−３．３Ｖ）から「Ｈ」（０Ｖ）に移行すると、駆動サイリスタＤＴがターンオフするとともに、消灯サイリスタＲＴがターンオンする。
すなわち、消灯信号φＲに「Ｈｉ−Ｚ」の期間を設けないで、「Ｈ」（０Ｖ）と「Ｌ」（−３．３Ｖ）とを繰り返すようにすると、消灯信号φＲが「Ｈ」（０Ｖ）のときは、消灯サイリスタＲＴがオン状態で駆動サイリスタＤＴがオフ状態になり、消灯信号φＲが「Ｌ」（−３．３Ｖ）のときは、消灯サイリスタＲＴがオフ状態で駆動サイリスタＤＴがオン状態になる。
なお、消灯信号φＲに「Ｈｉ−Ｚ」の期間を設けない場合には、３ステートバッファＢｕｆの代わりに通常のバッファ（回路）を用いればよい。
【０１０９】
以上説明したように、消灯回路ＲＤの消灯サイリスタＲＴおよび駆動サイリスタＤＴは、セット−リセットフリップフロップ回路のように動作する。
すなわち、消灯サイリスタＲＴはセットサイリスタの一例であり、駆動サイリスタＤＴはリセットサイリスタの一例である。図８において、φＲ端子が入力端子の一例であって、点灯信号線７５が出力端子の一例である。そして、消灯信号φＲが、セットまたはリセットを指定する指定信号であって、セットサイリスタである消灯サイリスタＲＴがオン状態であって、出力端子である点灯信号線７５が「Ｈ」（０Ｖ）にある状態がセットの状態、「Ｌ」（−３．３Ｖ）にある状態がリセットの状態である。なお、セットの状態とリセットの状態とを入れ替えてもよい。
セット−リセットフリップフロップ回路は、状態の保持などに使用できる。第１の実施の形態におけるセット−リセットフリップフロップ回路は、工程を変えることなく発光サイリスタＬなどと同時に形成できる。
【０１１０】
次に、図９（ｂ）により、消灯信号φＲに対する消灯サイリスタＲＴの状態遷移を説明する。
前述したように、オン状態（図９（ｂ）ではｏｎと表記する。）の消灯サイリスタＲＴは、消灯信号φＲが「Ｌ」（−３．３Ｖ）に移行すると、オフ状態（図９（ｂ）ではｏｆｆと表記する。）に移行する。一方、オフ状態の消灯サイリスタＲＴは、消灯信号φＲが「Ｈ」（０Ｖ）に移行すると、オン状態に移行する。
【０１１１】
また、消灯サイリスタＲＴがオン状態のときに、すなわち駆動サイリスタＤＴがオフ状態のときに、消灯信号φＲが「Ｈｉ−Ｚ」となっても、消灯サイリスタＲＴの補助ゲート端子Ｇｒ２に接続されている駆動サイリスタＤＴのカソード端子Ｋｄは、「Ｈ」（０Ｖ）が維持される。よって、駆動サイリスタＤＴはターンオンしない。駆動サイリスタＤＴがターンオンしないので、消灯サイリスタＲＴは、オン状態が維持される。
消灯サイリスタＲＴがオン状態のときに、消灯信号φＲが「Ｈ」（０Ｖ）となれば、駆動サイリスタＤＴはオフ状態を維持するので、消灯サイリスタＲＴはオン状態を維持する。
【０１１２】
一方、消灯サイリスタＲＴがオフ状態のときに、すなわち駆動サイリスタＤＴがオン状態のときに、消灯信号φＲが「Ｈｉ−Ｚ」となっても、駆動サイリスタＤＴのカソード端子Ｋｄは、電流制限抵抗Ｒｒｅ、Ｒｒｓを介して、Ｖｇａ端子（「Ｌ」（−３．３Ｖ））に接続されているので、オン状態を維持する。すると、駆動サイリスタＤＴのゲート端子Ｇｄの電位が「Ｈ」（０Ｖ）であるので、消灯サイリスタＲＴのカソード端子Ｋｒ１が「Ｈ」（０Ｖ）となり、消灯サイリスタＲＴはオフ状態を維持する。
消灯サイリスタＲＴがオフ状態のときに、消灯信号φＲが「Ｌ」（−３．３Ｖ）となれば、駆動サイリスタＤＴはオン状態を維持するので、消灯サイリスタＲＴのカソード端子Ｋｒ１は「Ｈ」（０Ｖ）であって、消灯サイリスタＲＴはオフ状態を維持する。
【０１１３】
オン状態のサイリスタにおいて、アノード端子−カソード端子間に流れる電流に対するアノード端子−ゲート端子間に流すことができる電流の比を電流ゲインと呼ぶ。ここで、サイリスタの電流ゲインを５倍とする。
図８を参照して説明すると、φＲ端子から駆動サイリスタＤＴのアノード端子−カソード端子Ｋｄ間に１ｍＡの電流を流すと、アノード端子−ゲート端子Ｇｄ間に５ｍＡの電流を流すことができる。
そして、消灯サイリスタＲＴのアノード端子−カソード端子Ｋｒ１間に５ｍＡの電流を流すと、アノード端子−主ゲート端子Ｇｒ１間に２５ｍＡの電流を流すことができる。
以上のように、第１の実施の形態では、消灯サイリスタＲＴと駆動サイリスタＤＴとを組み合わせることで、消灯信号φＲに１ｍＡの電流を流すことで、２５ｍＡの電流が制御できる。
前述したように、オン状態の発光サイリスタＬに流れる電流は、例えば２０ｍＡである。よって、φＲ端子に１ｍＡの電流を流せば、オン状態の発光サイリスタＬを消灯（ターンオフ）させることができる。なお、後述するように、オン状態の発光サイリスタＬは発光チップＣあたり１個である。
さらに、前述したように、消灯信号φＲを「Ｈｉ−Ｚ」から「Ｈ」（０Ｖ）に移行させて、消灯サイリスタＲＴをターンオンするときに、φＲ端子に流す電流も１ｍＡである。
すなわち、φＲ端子に流す電流は１ｍＡでよい。
【０１１４】
図４に示したように、消灯信号φＲａは、発光チップ群＃ａの２０個の発光チップＣａ１〜Ｃａ２０に共通に送信される。よって、消灯信号φＲａとして、２０ｍＡの電流を供給すればよい。広く使用されるドライバ回路において、１ゲート（３ステートバッファＢｕｆ）が供給できる電流は２５ｍＡである。すなわち、消灯信号φＲａは、１ゲートで供給できる。なお、消灯信号φＲｂについても同様である。
【０１１５】
これに対して、消灯サイリスタＲＴのみを用いる場合には、φＲ端子に５ｍＡの電流を流すことが必要となる。したがって、消灯信号φＲａとして、１００ｍＡの電流を供給することになる。この電流は、ドライバ回路の１ゲートでは供給できない。よって、複数のゲートを用いることにより、発光チップ群＃ａに消灯信号φＲａを送信するための消灯信号ライン２０４ａを複数本設けることになり、回路基板６２の構成が複雑になる。
すなわち、第１の実施の形態では、消灯信号φＲａおよび消灯信号φＲｂをそれぞれ１ゲートで供給できるため、回路基板６２の構成が複雑になることが抑制される。
【０１１６】
（発光装置６５の動作）
次に、発光装置６５の動作について説明する。
発光装置６５は発光チップ群＃ａに属する発光チップＣａ１〜Ｃａ２０と発光チップ群＃ｂに属する発光チップＣｂ１〜Ｃｂ２０とを備えている（図３、４、５参照）。
図４に示したように、回路基板６２上のすべての発光チップＣ（発光チップＣａ１〜Ｃａ２０と発光チップＣｂ１〜Ｃｂ２０）には、基準電位Ｖｓｕｂと電源電位Ｖｇａが共通に供給される。
そして、発光チップ群＃ａの発光チップＣａ１〜Ｃａ２０には、前述したように、第１転送信号φ１ａ、第２転送信号φ２ａ、消灯信号φＲａ、許可信号φＥａが共通に送信される。よって、発光チップ群＃ａの発光チップＣａ１〜Ｃａ２０は並列に駆動される。
同様に、発光チップ群＃ｂの発光チップＣｂ１〜Ｃｂ２０には、前述したように、第１転送信号φ１ｂ、第２転送信号φ２ｂ、消灯信号φＲｂ、許可信号φＥｂが共通に送信される。よって、発光チップ群＃ｂの発光チップＣｂ１〜Ｃｂ２０は並列に駆動される。
【０１１７】
一方、設定信号φＷ１〜φＷ２０は、発光チップ群＃ａの一つの発光チップＣと発光チップ群＃ｂの一つの発光チップＣとが構成する発光チップ組＃１〜＃２０のそれぞれに対して送信される。例えば、発光チップ群＃ａの発光チップＣａ１と発光チップ群＃ｂの発光チップＣｂ１とを発光チップ組＃１として、設定信号φＷ１が共通に送信される。また、２０個の設定信号φＷ１〜φＷ２０は、同じタイミングで並列に送信される。よって、発光チップ組＃１〜＃２０は並列に駆動される。
なお、後述するように、発光サイリスタＬの光量補正のために、設定信号φＷ１〜φＷ２０のタイミングをずらして送信してもよい。
【０１１８】
発光チップ群＃ａの発光チップＣａ２〜Ｃａ２０は発光チップＣａ１と並行して駆動され、発光チップ群＃ｂの発光チップＣｂ２〜Ｃｂ２０は発光チップＣｂ１と並行して駆動されるので、発光チップ組＃１に属する発光チップＣａ１およびＣｂ１の動作を説明すれ足りる。同様に、発光チップ組＃２〜＃２０は発光チップ組＃１と並行して駆動されるので、発光チップＣａ１とＣｂ１とが属する発光チップ組＃１を説明すれば足りる。
【０１１９】
図１０は、発光装置６５および発光チップＣの動作を説明するためのタイミングチャートである。
図１０では、発光チップ組＃１（発光チップＣａ１およびＣｂ１）の動作に加えて、発光チップ組＃２（発光チップＣａ２およびＣｂ２）の動作を説明している。そして、図１０では、それぞれの発光チップＣにおいて、発光サイリスタＬ１〜Ｌ４の４個の発光サイリスタＬの点灯または非点灯を制御する部分を示している。なお、発光サイリスタＬの点灯または非点灯を制御することを点灯制御と表記する。
【０１２０】
そして、発光チップ組＃１（発光チップＣａ１およびＣｂ１）では、それぞれの発光サイリスタＬ１〜Ｌ４をすべて点灯させるとした。発光チップ組＃２（発光チップＣａ２およびＣｂ２）では、発光チップＣａ２の発光サイリスタＬ２、Ｌ３、Ｌ４を点灯させるとし、発光チップＣｂ２の発光サイリスタＬ１、Ｌ３、Ｌ４を点灯させるとした。そして、発光チップＣａ２の発光サイリスタＬ１および発光チップＣｂ２の発光サイリスタＬ２は点灯させない（非点灯）とした。
発光チップ組＃１と発光チップ組＃２とは並行して動作する。よって、以下では、発光チップ組＃１に属する発光チップ群＃ａの発光チップＣａ１および発光チップ群＃ｂのＣｂ１の動作を説明する。
【０１２１】
図１０において、時刻ａから時刻ｚへとアルファベット順に時刻が経過するとする。発光チップ群＃ａの発光チップＣａ１において、発光サイリスタＬ１は、時刻ｃから時刻ｓの期間Ｔａ（１）において点灯制御される。発光サイリスタＬ２は、時刻ｓから時刻ｘの期間Ｔａ（２）において点灯制御される。発光サイリスタＬ３は、時刻ｘから時刻ｚの期間Ｔａ（３）において点灯制御される。発光サイリスタＬ４は、時刻ｚから始まる期間Ｔａ（４）において点灯制御される。以下、同様にして番号が５以上の発光サイリスタＬが点灯制御される。
一方、発光チップ群＃ｂの発光チップＣｂ１において、発光サイリスタＬ１は、時刻ｊから時刻ｕの期間Ｔｂ（１）において点灯制御される。発光サイリスタＬ２は、時刻ｕから時刻ｙの期間Ｔｂ（２）において点灯制御される。発光サイリスタＬ３は、時刻ｙから始まる期間Ｔｂ（３）において点灯制御される。以下、同様にして番号が４以上の発光サイリスタＬが点灯制御される。
【０１２２】
本実施の形態では、期間Ｔａ（１）、Ｔａ（２）、Ｔａ（３）、…および期間Ｔｂ（１）、Ｔｂ（２）、Ｔｂ（３）、…は同じ長さの期間とし、それぞれを区別しないときは期間Ｔと表記する。
そして、発光チップ群＃ａの発光チップＣａ１〜Ｃａ２０を制御する期間Ｔａ（１）、Ｔａ（２）、Ｔａ（３）、…と、発光チップ群＃ｂの発光チップＣｂ１〜Ｃｂ２０を制御する期間Ｔｂ（１）、Ｔｂ（２）、Ｔｂ（３）、…とは、期間Ｔの半分の長さ（位相でいうと１８０°）ずれているとする。すなわち、期間Ｔｂ（１）は、期間Ｔａ（１）が開始したのち、期間Ｔの半分の期間が経過したときに開始する。
したがって、以下では、発光チップ群＃ａの発光チップＣａ１を制御する期間Ｔａ（１）、Ｔａ（２）、Ｔａ（３）、…について説明する。
なお、以下に説明する信号の相互の関係が維持されるようにすれば、期間Ｔの長さを可変としてもよい。
【０１２３】
期間Ｔａ（１）、Ｔａ（２）、Ｔａ（３）、…における信号波形は、画像データによって変化する設定信号φＷ（設定信号φＷ１〜φＷ２０）を除いて、同じ波形の繰り返しである。
したがって、以下では、時刻ｃから時刻ｓまでの期間Ｔａ（１）のみを説明する。なお、時刻ａから時刻ｃまでの期間は、発光チップＣａ１（Ｃ）が動作を開始する期間である。この期間の信号については、動作の説明において説明する。
【０１２４】
第１転送信号φ１ａ、第２転送信号φ２ａ、許可信号φＥａ、消灯信号φＲａの、期間Ｔａ（１）における信号波形について説明する。
第１転送信号φ１ａは、時刻ｃで「Ｌ」であって、時刻ｒで「Ｌ」から「Ｈ」に移行し、時刻ｓで「Ｈ」を維持している。
第２転送信号φ２ａは、時刻ｃで「Ｈ」であって、時刻ｑで「Ｈ」から「Ｌ」に移行し、時刻ｓで「Ｌ」を維持している。
ここで、第１転送信号φ１ａと第２転送信号φ２ａとを比較すると、期間Ｔａ（１）における第１転送信号φ１ａの波形が、期間Ｔａ（２）における第２転送信号φ２ａの波形になっている。そして、期間Ｔａ（１）における第２転送信号φ２ａの波形が、期間Ｔａ（２）における第１転送信号φ１ａの波形になっている。
すなわち、第１転送信号φ１ａと第２転送信号φ２ａとは期間Ｔの２倍の期間（２Ｔ）を単位として繰り返す信号波形である。そして、時刻ｑから時刻ｒまでの期間のように、共に「Ｌ」となる期間を挟んで、交互に「Ｈ」と「Ｌ」とを繰り返している。そして、時刻ａから時刻ｂまでの期間を除いて、第１転送信号φ１と第２転送信号φ２とは、同時に「Ｈ」となる期間を有さない。
第１転送信号φ１ａと第２転送信号φ２ａとの一組の転送信号により、図６に示した転送サイリスタＴが、後述するように、順番にオン状態になって、点灯または非点灯の制御対象である（点灯制御する）発光サイリスタＬを指定する。
【０１２５】
許可信号φＥａは、時刻ｃで「Ｈ」であって、時刻ｅで「Ｈ」から「Ｌ」に移行し、時刻ｈで「Ｌ」から「Ｈ」に移行する。そして、時刻ｓで「Ｈ」を維持している。
許可信号φＥａは、後述するように、「Ｌ」のときに点灯または非点灯の制御対象である（点灯制御する）発光サイリスタＬを点灯可能な状態に設定し、「Ｈ」のときに点灯不能な状態に設定する。
【０１２６】
消灯信号φＲａは、時刻ｃで「Ｈ」から「Ｌ」に移行し、時刻ｄで「Ｌ」から「Ｈｉ−Ｚ」に移行する。そして、時刻ｐで「Ｈｉ−Ｚ」から「Ｈ」に移行し、時刻ｓで「Ｈ」から「Ｌ」に移行する。
【０１２７】
設定信号φＷ１は、時刻ｃで「Ｈ」であって、時刻ｆで「Ｈ」から「Ｌ」に移行し、時刻ｇで「Ｌ」から「Ｈ」に移行する。さらに、時刻ｍで「Ｈ」から「Ｌ」に移行し、時刻ｎで「Ｌ」から「Ｈ」に移行する。そして、時刻ｓにおいて「Ｈ」を維持している。すなわち、設定信号φＷ１は、期間Ｔａ（１）において、「Ｌ」となる期間を２つ有している。
そして、設定信号φＷ１と許可信号φＥａとの関係を見ると、設定信号φＷ１が前に「Ｌ」となる期間（時刻ｆから時刻ｇ）は、は許可信号φＥａが「Ｌ」である時刻ｅから時刻ｈまでの期間に含まれている。設定信号φＷ１が後に「Ｌ」となる期間（時刻ｍから時刻ｎ）は、許可信号φＥａに対して位相が１８０°ずれて送信される許可信号φＥｂが「Ｌ」である時刻ｌから時刻ｏまでの期間に含まれている。
【０１２８】
期間Ｔａ（１）において、設定信号φＷ１における前の「Ｌ」（時刻ｆから時刻ｇまでの期間）は、発光チップＣａ１の発光サイリスタＬ１を消灯状態から点灯状態に移行させる信号であって、設定信号φＷ１における後の「Ｌ」（時刻ｍから時刻ｎまでの期間）は、発光チップＣｂ１の発光サイリスタＬ１を消灯状態から点灯状態に移行させる信号である。
このため、許可信号φＥａが「Ｌ」である期間（時刻ｅから時刻ｈ）は、前に設定信号φＷ１が「Ｌ」となる期間（時刻ｆから時刻ｇ）と重なり、後に設定信号φＷ１が「Ｌ」となる期間（時刻ｍから時刻ｏ）と重ならないように設定されている。同様に、許可信号φＥｂが「Ｌ」である期間（時刻ｌから時刻ｏ）は、前に設定信号φＷ１が「Ｌ」となる期間（時刻ｆから時刻ｇ）と重ならず、後に設定信号φＷ１が「Ｌ」となる期間（時刻ｍから時刻ｏ）と重なるように設定されている。
【０１２９】
では、図４および図６を参照しつつ、図１０に示したタイミングチャートにしたがって、発光装置６５の動作を説明する。
（１）時刻ａ
発光装置６５に基準電位Ｖｓｕｂおよび電源電位Ｖｇａの供給を開始した時刻ａでの状態（初期状態）について説明する。
＜発光装置６５＞
図１０に示したタイミングチャートの時刻ａにおいて、電源ライン２００ａは「Ｈ」（０Ｖ）の基準電位Ｖｓｕｂに設定され、電源ライン２００ｂは「Ｌ」（−３．３Ｖ）の電源電位Ｖｇａに設定される（図４参照）。よって、すべての発光チップＣ（発光チップＣａ１〜Ｃａ２０および発光チップＣｂ１〜Ｃｂ２０）のそれぞれのＶｓｕｂ端子は「Ｈ」に設定され、それぞれのＶｇａ端子は「Ｌ」に設定される（図６参照）。
【０１３０】
そして、信号発生回路１１０の転送信号発生部１２０ａは第１転送信号φ１ａ、第２転送信号φ２ａをそれぞれ「Ｈ」に、転送信号発生部１２０ｂは第１転送信号φ１ｂ、第２転送信号φ２ｂをそれぞれ「Ｈ」に設定する。すると、第１転送信号ライン２０１ａ、２０１ｂおよび第２転送信号ライン２０２ａ、２０２ｂが「Ｈ」になる（図４参照）。これにより、発光チップＣ（発光チップＣａ１〜Ｃａ２０および発光チップＣｂ１〜Ｃｂ２０）のφ１端子およびφ２端子がともに「Ｈ」になる（図６参照）。
【０１３１】
さらに、信号発生回路１１０の許可信号発生部１３０ａは許可信号φＥａを「Ｈ」に、許可信号発生部１３０ｂは許可信号φＥｂを「Ｈ」に設定する。すると、許可信号ライン２０３ａ、２０３ｂが「Ｈ」になる（図４参照）。これにより、発光チップＣのφＥ端子が「Ｈ」になる（図６参照）。
さらにまた、信号発生回路１１０の消灯信号発生部１４０ａは消灯信号φＲａを「Ｈ」に、消灯信号発生部１４０ｂは消灯信号φＲｂを「Ｈ」に設定する。すると、消灯信号ライン２０４ａ、２０４ｂが「Ｈ」になる（図４参照）。これにより、発光チップＣのφＲ端子が「Ｈ」になる（図６参照）。
【０１３２】
信号発生回路１１０の設定信号発生部１５０は設定信号φＷ１〜φＷ２０を「Ｈ」に設定する。すると、設定信号ライン２０５〜２２４が「Ｈ」になる（図４参照）。これにより、発光チップＣのφＷ端子が「Ｈ」になる（図６参照）。
【０１３３】
次に、図６、図７、図８、図９を参照しつつ、図１０に示したタイミングチャートにしたがって、発光チップ組＃１に属する発光チップＣａ１および発光チップＣｂ１の動作を中心に説明する。
なお、図１０および以下における説明では、各端子の電位がステップ状に変化するとしているが、各端子の電位は徐々に変化する。よって、電位変化の間であっても、下記に示す条件が満たされれば、サイリスタはターンオンまたはターンオフなど、状態の変化を生じる。
【０１３４】
＜発光チップＣａ１＞
発光サイリスタＬ、転送サイリスタＴ、設定サイリスタＳ、設定許可サイリスタＳ０、消灯サイリスタＲＴおよび駆動サイリスタＤＴのアノード端子は、Ｖｓｕｂ端子に接続されているので、「Ｈ」に設定される。
「Ｈ」のφ１端子に電流制限抵抗Ｒ１を介して接続されている第１転送信号線７２と「Ｈ」のφ２端子に電流制限抵抗Ｒ２を介して接続されている第２転送信号線７３とがともに「Ｈ」になる。すると、奇数番号の転送サイリスタＴ１、Ｔ３、Ｔ５、…のそれぞれのカソード端子は、第１転送信号線７２に接続されているので、「Ｈ」に設定される。偶数番号の転送サイリスタＴ２、Ｔ４、Ｔ６、…のそれぞれのカソード端子は、第２転送信号線７３に接続されているので、「Ｈ」に設定される。よって、転送サイリスタＴのアノード端子およびカソード端子はともに「Ｈ」となり、転送サイリスタＴはオフ状態にある。
【０１３５】
「Ｈ」のφＷ端子に電流制限抵抗ＲＷを介して接続されている設定信号線７４が「Ｈ」になる（図６参照）。すると、設定サイリスタＳおよび設定許可サイリスタＳ０のそれぞれのカソード端子は、設定信号線７４に接続されているので、「Ｈ」に設定される。よって、設定サイリスタＳおよび設定許可サイリスタＳ０のアノード端子およびカソード端子はともに「Ｈ」となり、設定サイリスタＳおよび設定許可サイリスタＳ０はオフ状態にある。
【０１３６】
「Ｈ」のφＥ端子に電流制限抵抗ＲＥを介して接続されている許可信号線７６が「Ｈ」になる（図６参照）。すると、設定許可サイリスタＳ０は、ゲート端子Ｇｓ０が許可信号線７６に接続されているので、しきい電圧がゲート端子Ｇｓ０の電位（０Ｖ）からｐｎ接合の拡散電位Ｖｄ（１．５Ｖ）を引いた−１．５Ｖになる。しかし、設定信号線７４が「Ｈ」（０Ｖ）であるため、設定許可サイリスタＳ０はターンオンしない。
【０１３７】
消灯回路ＲＤは、φＲ端子が「Ｈ」であるので、消灯サイリスタＲＴがオン状態、駆動サイリスタＤＴがオフ状態である（図９（ａ））。よって、点灯信号線７５が「Ｈ」（０Ｖ）である。
よって、発光サイリスタＬのアノード端子およびカソード端子はともに「Ｈ」となり、発光サイリスタＬはオフ状態にある。
【０１３８】
図６中の転送サイリスタ列の一端のゲート端子Ｇｔ１は、前述したように、スタートダイオードＤ０のカソード端子に接続されている。そして、スタートダイオードＤ０のアノード端子は、第２転送信号線７３に接続されている。第２転送信号線７３は「Ｈ」に設定されている。すると、スタートダイオードＤ０は、カソード端子が「Ｌ」でアノード端子が「Ｈ」となるので、順方向に電圧が印加（順バイアス）されている。これにより、スタートダイオードＤ０のカソード端子（ゲート端子Ｇｔ１）は、スタートダイオードＤ０のアノード端子の「Ｈ」（０Ｖ）からスタートダイオードＤ０の拡散電位Ｖｄ（１．５Ｖ）を引いた値（−１．５Ｖ）になる。よって、転送サイリスタＴ１のしきい電圧は、ゲート端子Ｇｔ１の電位（−１．５Ｖ）からｐｎ接合の拡散電位Ｖｄ（１．５Ｖ）を引いた−３Ｖとなる。
【０１３９】
一方、設定サイリスタＳ１のゲート端子Ｇｓ１は、接続抵抗Ｒｘ１を介して−１．５Ｖのゲート端子Ｇｔ１に接続されるとともに、接続抵抗Ｒｙ１および接続抵抗Ｒｚ１を介して、電源電位Ｖｇａ（「Ｌ」（−３．３Ｖ））の電源線７１に接続されている。前述したように、接続抵抗Ｒｘ１は２ｋΩ、設定サイリスタＳ１がオフ状態であるので接続抵抗Ｒｙ１は１６ｋΩ、接続抵抗Ｒｚは６ｋΩである。よって、ゲート端子Ｇｓ１の電位は、抵抗分割により−１．６５Ｖとなる。そして、設定サイリスタＳ１のしきい電圧は−３．１５Ｖとなる。前述したように、設定信号線７４の電位は「Ｈ」（０Ｖ）であるので、設定サイリスタＳ１はターンオンしない。
同様に計算すると、ゲート端子Ｇｌ１の電位は−２．８５Ｖとなる。そして、発光サイリスタＬ１のしきい電圧は−４．３５Ｖとなる。前述したように、点灯信号線７５の電位は「Ｈ」（０Ｖ）であるので、発光サイリスタＬ１はターンオンしない。
【０１４０】
転送サイリスタＴ２のゲート端子Ｇｔ２は、ゲート端子Ｇｔ１と結合ダイオードＤ１を介して接続されている。転送サイリスタＴ２のゲート端子Ｇｔ２は、ゲート端子Ｇｔ１の電位（−１．５Ｖ）から結合ダイオードＤ１のｐｎ接合の拡散電位Ｖｄ（１．５Ｖ）を引いた−３Ｖである。そして、転送サイリスタＴ２のしきい電圧は−４．５Ｖである。
【０１４１】
すると、設定サイリスタＳ１と同様に計算すると、設定サイリスタＳ２のゲート端子Ｇｓ２の電位は−３．０３Ｖとなり、設定サイリスタＳ２のしきい電圧は−４．５３Ｖとなる。
一方、ゲート端子Ｇｌ２の電位は−３．２３Ｖとなる。よって、発光サイリスタＬ２のしきい電圧は−４．７３Ｖとなる。
【０１４２】
なお、番号が３以上の転送サイリスタＴには、ゲート端子Ｇｔ１の電位が−１．５Ｖである影響は及ばない。ゲート端子Ｇｔは、接続抵抗Ｒｘ、Ｒｙ、Ｒｚを介して、電源電位Ｖｇａ（「Ｌ」（−３．３Ｖ））の電源線７１に接続されているので、ゲート端子Ｇｔの電位は、「Ｌ」（−３．３Ｖ）である。そして、転送サイリスタＴのしきい電圧は−４．８Ｖである。
同様に、番号が３以上の設定サイリスタＳのゲート端子Ｇｓおよび発光サイリスタＬのゲート端子Ｇｌの電位も「Ｌ」（−３．３Ｖ）である。よって、設定サイリスタＳおよび発光サイリスタＬのしきい電圧も−４．８Ｖである。
【０１４３】
時刻ａの直後（ここでは、時刻ａにおける信号の電位の変化によってサイリスタなどの変化が生じた後、定常状態になったときをいう。他の時刻においても同様である。）において、消灯サイリスタＲＴがオン状態にある。他の転送サイリスタＴ、設定サイリスタＳ、発光サイリスタＬ、設定許可サイリスタＳ０、駆動サイリスタＤＴはオフ状態にある。
以下では、オン状態にあるサイリスタ（転送サイリスタＴ、設定サイリスタＳ、設定許可サイリスタＳ０、発光サイリスタＬ、消灯サイリスタＲＴ、駆動サイリスタＤＴ）のみを表記する。
【０１４４】
＜発光チップＣｂ１＞
発光チップＣｂ１においても、初期状態は発光チップＣａ１と同じであるので、説明を省略する。
【０１４５】
（２）時刻ｂ
時刻ｂにおいて、発光チップ群＃ａに送信される第１転送信号φ１ａが、「Ｈ」（０Ｖ）から「Ｌ」（−３．３Ｖ）に移行する。これにより発光装置６５が動作状態に入る。
＜発光チップＣａ１＞
しきい電圧が−３Ｖの転送サイリスタＴ１がターンオンする。
転送サイリスタＴ１がターンオンすると、ゲート端子Ｇｔ１はアノード端子の「Ｈ」（０Ｖ）になる。すると、順バイアスの結合ダイオードＤ１により、ゲート端子Ｇｔ２の電位が−１．５Ｖになる。そして、転送サイリスタＴ２のしきい電圧は−３Ｖになる。
ゲート端子Ｇｔ３は転送サイリスタＴ２のゲート端子Ｇｔ２に結合ダイオードＤ２を介して接続されているので、ゲート端子Ｇｔ３の電位は−３Ｖになる。そして、転送サイリスタＴ３のしきい電圧は−４．５Ｖになる。番号が４以上の転送サイリスタＴは、しきい電圧は−４．８Ｖが維持される。
また、転送サイリスタＴ１のカソード端子（図６の第１転送信号線７２）の電位は、転送サイリスタＴ１のアノード端子の「Ｈ」（０Ｖ）からｐｎ接合の拡散電位Ｖｄ（１．５Ｖ）を引いた−１．５Ｖより低い電位（−１．６Ｖ）に設定される。
よって、しきい電圧が−４．５Ｖである転送サイリスタＴ３およびしきい電圧が−４．８Ｖである番号が５以上の奇数番号の転送サイリスタＴはターンオンしない。
【０１４６】
なお、第２転送信号線７３の電位は「Ｈ」（０Ｖ）であるので、しきい電圧が−３Ｖである転送サイリスタＴ２およびしきい電圧が−４．８Ｖである番号が４以上の偶数番号の転送サイリスタＴはターンオンしない。
【０１４７】
一方、転送サイリスタＴ１がターンオンしてゲート端子Ｇｔ１の電位が「Ｈ」（０Ｖ）となると、設定サイリスタＳ１は、ゲート端子Ｇｓ１の電位が−０．２８Ｖとなり、しきい電圧が−１．７８Ｖになる。
また、発光サイリスタＬ１は、ゲート端子Ｇｌ１の電位が−２．４８Ｖとなり、しきい電圧が−３．９８Ｖとなる。
【０１４８】
さらに、ゲート端子Ｇｔ２の電位が−１．５Ｖとなるので、設定サイリスタＳ２は、ゲート端子Ｇｓ２の電位が−１．６５Ｖとなり、しきい電圧が−３．１５Ｖになる。また、発光サイリスタＬ２は、ゲート端子Ｇｌ２の電位が−２．８５Ｖとなり、しきい電圧が−４．３５Ｖとなる。
さらにまた、ゲート端子Ｇｔ３の電位が−３Ｖとなるので、設定サイリスタＳ３は、ゲート端子Ｇｓ３の電位が−３．０３Ｖとなり、しきい電圧が−４．５３Ｖになる。また、発光サイリスタＬ３は、ゲート端子Ｇｌ３の電位が−３．２３Ｖとなり、しきい電圧が−４．７３Ｖとなる。
なお、番号が４以上の設定サイリスタＳ、発光サイリスタＬのしきい電圧は−４．８Ｖが維持される。
設定信号線７４は「Ｈ」（０Ｖ）であるため、いずれの設定サイリスタＳもターンオンしない。同様に、点灯信号線７５は「Ｈ」（０Ｖ）であるため、いずれの発光サイリスタＬもターンオンしない。
【０１４９】
以上説明したように、ゲート端子Ｇｔの電位が変化すると、ゲート端子Ｇｓ、Ｇｌの電位が変化し、転送サイリスタＴ、設定サイリスタＳ、発光サイリスタＬのしきい電圧が変化する。
以下では、ターンオンまたはターンオフに関係するサイリスタについてのみ説明する。
【０１５０】
すなわち、時刻ｂにおいて、ターンオンするのは転送サイリスタＴ１のみである。そして、時刻ｂの直後において、消灯サイリスタＲＴ、転送サイリスタＴ１がオン状態にある。
【０１５１】
＜発光チップＣｂ１＞
発光チップＣｂ１が属する発光チップ群＃ｂに送信される信号は変化しないので、発光チップＣｂ１は初期状態が維持されている。
【０１５２】
（３）時刻ｃ
時刻ｃにおいて、発光チップ群＃ａに送信される消灯信号φＲａが、「Ｈ」（０Ｖ）から「Ｌ」（−３．３Ｖ）に移行する。これにより、発光チップ群＃ａの期間Ｔａ（１）が開始する。
＜発光チップＣａ１＞
消灯回路ＲＤにおいて、駆動サイリスタＤＴがターンオンするとともに、消灯サイリスタＲＴがターンオフする。これにより、点灯信号線７５は、「Ｈ」（０Ｖ）からＶｇａ端子の「Ｌ」（−３．３Ｖ）に移行する（図９（ａ））。
発光サイリスタＬ１、Ｌ２、Ｌ３のしきい電圧は、それぞれ−３．９８Ｖ、−４．３５Ｖ、−４．７３Ｖである。また、番号が４以上の発光サイリスタＬのしきい電圧は−４．８Ｖである。よって、いずれの発光サイリスタＬもターンオンしない。
時刻ｃの直後において、駆動サイリスタＤＴ、転送サイリスタＴ１がオン状態にある。
【０１５３】
＜発光チップＣｂ１＞
発光チップＣｂ１が属する発光チップ群＃ｂに送信される信号は変化しないので、発光チップＣｂ１は初期状態が維持されている。
【０１５４】
（４）時刻ｄ
時刻ｄにおいて、発光チップ群＃ａに送信される消灯信号φＲａが、「Ｌ」（−３．３Ｖ）から「Ｈｉ−Ｚ」に移行する。
＜発光チップＣａ１＞
消灯回路ＲＤにおいて、駆動サイリスタＤＴがターンオフする。しかし、点灯信号線７５は、「Ｌ」（−３．３Ｖ）が維持されている（図９（ａ））。
時刻ｄの直後において、転送サイリスタＴ１がオン状態にある。
＜発光チップＣｂ１＞
発光チップＣｂ１が属する発光チップ群＃ｂに送信される信号は変化しないので、発光チップＣｂ１は初期状態が維持されている。
【０１５５】
（５）時刻ｅ
時刻ｅにおいて、発光チップ群＃ａに送信される許可信号φＥａが、「Ｈ」（０Ｖ）から「Ｌ」（−３．３Ｖ）に移行する。
＜発光チップＣａ１＞
電流制限抵抗ＲＥを介して、許可信号線７６が「Ｈ」（０Ｖ）から「Ｌ」（−３．３Ｖ）に移行する。すると、許可信号線７６に接続されたゲート端子Ｇｓ０が「Ｌ」（−３．３Ｖ）になる。すると、設定許可サイリスタＳ０のしきい電圧が−１．５Ｖから−４．８Ｖになる。
時刻ｅの直後において、転送サイリスタＴ１がオン状態にある。
【０１５６】
＜発光チップＣｂ１＞
発光チップＣｂ１が属する発光チップ群＃ｂに送信される信号は変化しないので、発光チップＣｂ１は初期状態が維持される。
【０１５７】
（６）時刻ｆ
時刻ｆにおいて、発光チップ群＃ａの発光チップＣａ１と発光チップ群＃ｂの発光チップＣｂ１とが属する発光チップ組＃１に送信される設定信号φＷ１が、「Ｈ」（０Ｖ）から「Ｌ」（−３．３Ｖ）に移行する。
＜発光チップＣａ１＞
電流制限抵抗ＲＷを介して、設定信号線７４の電位が「Ｈ」（０Ｖ）から「Ｌ」（−３．３Ｖ）に移行する。設定信号線７４には、設定許可サイリスタＳ０、設定サイリスタＳのそれぞれのカソード端子が接続されている。しきい電圧は、設定許可サイリスタＳ０が−４．８Ｖ、設定サイリスタＳ１が−１．７８Ｖ、設定サイリスタＳ２が−３．１５Ｖ、設定サイリスタＳ３が−４．５３Ｖ、番号が４以上の設定サイリスタＳが−４．８Ｖである。よって、しきい電圧がもっとも高い設定サイリスタＳ１がターンオンし、設定信号線７４の電位をアノード端子の電位から拡散電位Ｖｄを引いた−１．５Ｖより低い電位（−１．６Ｖ）に設定する。このため、設定許可サイリスタＳ０および設定サイリスタＳ１以外の設定サイリスタＳはターンオンしない。
【０１５８】
すると、ターンオンした設定サイリスタＳ１のゲート端子Ｇｓ１の電位が０Ｖになるとともに、接続抵抗Ｒｙ１が０．８ｋΩになる。これにより、ゲート端子Ｇｌ１の電位は−２．４８Ｖから−０．３９Ｖとなる。よって、発光サイリスタＬ１は、しきい電圧が−３．９８Ｖから−１．８９Ｖになる。
【０１５９】
点灯信号線７５は、時刻ｃにおいて、「Ｌ」（−３．３Ｖ）になっているので、発光サイリスタＬ１がターンオンする。これにより、点灯信号線７５の電位は、前述したように−１．９Ｖになる。
なお、発光サイリスタＬ２、Ｌ３のしきい電圧は、それぞれ−４．３５Ｖ、−４．７３Ｖである。また、番号が４以上の発光サイリスタＬのしきい電圧は−４．８Ｖである。よって、これらの発光サイリスタＬはターンオンしない。
【０１６０】
点灯信号線７５の電位が−１．９Ｖになることにより、消灯サイリスタＲＴの主ゲート端子Ｇｒ１の電位が−１．９Ｖになる。このとき、補助ゲート端子Ｇｒ２の電位は−３．３Ｖである。すなわち、図８（ｂ）において、主ゲート端子Ｇｒ１と補助ゲート端子Ｇｒ２との間のｐ型の第３半導体層８３によって構成される電流制限抵抗Ｒｒに、補助ゲート端子Ｇｒ２側（位置ε）から主ゲート端子Ｇｒ１側（位置α）に向けて、電位が高くなる電位勾配が構成される。これにより、位置δから位置βに向けて、しきい値電圧が高くなっている。ここでは、主ゲート端子Ｇｒ１に近接する位置βにおけるしきい電圧は−３．４Ｖより低く、補助ゲート端子Ｇｒ２に近接する位置δにおけるしきい電圧は−４．８Ｖより高くなる。
このとき、カソード端子Ｋｒ１、Ｋｒ２はそれぞれ、電流制限抵抗Ｒｃ、Ｒａｃを介して、電源電位Ｖｇａ（「Ｌ」（−３．３Ｖ））となっているが、消灯サイリスタＲＴのしきい電圧が低いため、消灯サイリスタＲＴはターンオンしない。
【０１６１】
よって、時刻ｆの直後においては、転送サイリスタＴ１、設定サイリスタＳ１がオン状態にあるとともに、発光サイリスタＬ１がオン状態で点灯（発光）している。
【０１６２】
＜発光チップＣｂ１＞
しきい電圧は、設定許可サイリスタＳ０が−１．５Ｖ、設定サイリスタＳ１が−３．１５Ｖ、設定サイリスタＳ２が−４．５３Ｖ、番号が３以上の設定サイリスタＳが−４．８Ｖである。よって、設定信号φＷ１が「Ｈ」から「Ｌ」に移行して、設定信号線７４の電位が「Ｈ」（０Ｖ）から「Ｌ」（−３．３Ｖ）に移行すると、しきい電圧が最も高い−１．５Ｖの設定許可サイリスタＳ０がターンオンする。そして、設定信号線７４の電位を−１．５Ｖより低い値（−１．６Ｖ）に設定する。よって、設定サイリスタＳはターンオンしない。
このため、発光サイリスタＬのしきい電圧は、発光サイリスタＬ１が−４．３５Ｖ、発光サイリスタＬ２が−４．７３Ｖ、番号が３以上の発光サイリスタＬが−４．８Ｖを維持する。点灯信号線７５の電位は「Ｈ」（０Ｖ）であるので、いずれの発光サイリスタＬもターンオンしない。
時刻ｆの直後においては、消灯サイリスタＲＴ、設定許可サイリスタＳ０がオン状態にある。
【０１６３】
（７）時刻ｇ
時刻ｇにおいて、発光チップ群＃ａの発光チップＣａ１と発光チップ群＃ｂの発光チップＣｂ１とが属する発光チップ組＃１に送信される設定信号φＷ１が、「Ｌ」（−３．３Ｖ）から「Ｈ」（０Ｖ）に移行する。
＜発光チップＣａ１＞
設定信号線７４が「Ｌ」から「Ｈ」に移行すると、オン状態であった設定サイリスタＳ１は、カソード端子とアノード端子とがともに「Ｈ」になって、ターンオフする。
しかし、オン状態の発光サイリスタＬ１はオン状態を維持し、ゲート端子Ｇｌ１の電位は０Ｖである。また、転送サイリスタＴ１はオン状態であって、ゲート端子Ｇｔ１の電位も０Ｖである。よって、ゲート端子Ｇｔ１とゲート端子Ｇｌ１とに、それぞれ接続抵抗Ｒｘおよび接続抵抗Ｒｙを介して接続されたゲート端子Ｇｓ１の電位も０Ｖである。よって、設定サイリスタＳ１のしきい電圧は−１．５Ｖである。
時刻ｇの直後においては、転送サイリスタＴ１がオン状態にあるとともに、発光サイリスタＬ１がオン状態で点灯（発光）している。
【０１６４】
＜発光チップＣｂ１＞
設定信号線７４が「Ｈ」になって、設定許可サイリスタＳ０は、カソード端子とアノード端子とがともに「Ｈ」になって、ターンオフする。そして、初期状態に戻る。
【０１６５】
（８）時刻ｈ
時刻ｈにおいて、発光チップ群＃ａに送信される許可信号φＥａが、「Ｌ」（−３．３Ｖ）から「Ｈ」（０Ｖ）に移行する。
＜発光チップＣａ１＞
許可信号線７６が「Ｌ」（−３．３Ｖ）から「Ｈ」（０Ｖ）に移行すると、設定許可サイリスタＳ０のゲート端子Ｇｓ０の電位が０Ｖになる。そして、設定許可サイリスタＳ０のしきい電圧が−１．５Ｖになる。しかし、設定信号線７４は「Ｈ」（０Ｖ）であるので、ともにしきい電圧が−１．５Ｖの設定許可サイリスタＳ０および設定サイリスタＳ１はターンオンしない。
時刻ｈの直後においては、転送サイリスタＴ１がオン状態にあるとともに、発光サイリスタＬ１がオン状態で点灯（発光）している。
＜発光チップＣｂ１＞
発光チップＣｂ１が属する発光チップ群＃ｂに送信される信号に変化がないので、時刻ｇの直後の状態が維持される。
【０１６６】
（９）時刻ｉ
時刻ｉにおいて、発光チップ群＃ｂに送信される第１転送信号φ１ｂが、「Ｈ」（０Ｖ）から「Ｌ」（−３．３Ｖ）に移行する。
＜発光チップＣａ１＞
発光チップＣａ１が属する発光チップ群＃ａに送信される信号には変化がないので、時刻ｈの直後の状態が維持される。
＜発光チップＣｂ１＞
発光チップＣｂ１の動作は、時刻ｂにおける発光チップＣａ１の動作と同様である。すなわち、転送サイリスタＴ１がターンオンする。これにより、設定サイリスタＳ１のしきい電圧が−１．７８Ｖになる。また、第１転送信号線７２の電位が−１．５Ｖより低い電位（−１．６Ｖ）になる。
つまり、発光チップＣｂ１は、タイミングがずれた（位相が１８０°ずれた）関係で発光チップＣａ１と同様に動作する。
時刻ｉの直後において、消灯サイリスタＲＴ、転送サイリスタＴ１がオン状態にある。
【０１６７】
（１０）時刻ｊ
時刻ｊにおいて、発光チップ群＃ｂに送信される消灯信号φＲｂが、「Ｈ」（０Ｖ）から「Ｌ」（−３．３Ｖ）に移行する。これにより、発光チップ群＃ｂの期間Ｔｂ（１）が開始する。
＜発光チップＣａ１＞
発光チップＣａ１が属する発光チップ群＃ａに送信される信号は変化しないので、時刻ｈの直後の状態が維持される。
【０１６８】
＜発光チップＣｂ１＞
時刻ｃの発光チップＣａ１と同様に、消灯回路ＲＤにおいて、駆動サイリスタＤＴがターンオンするとともに、消灯サイリスタＲＴがターンオフする。これにより、点灯信号線７５は、「Ｌ」（−３．３Ｖ）に移行する（図９（ａ））。
発光サイリスタＬ１、Ｌ２、Ｌ３のしきい電圧は、それぞれ−３．９８Ｖ、−４．３５Ｖ、−４．７３Ｖである。また、番号が４以上の発光サイリスタＬのしきい電圧は−４．８Ｖである。よって、いずれの発光サイリスタＬもターンオンしない。
時刻ｊの直後において、駆動サイリスタＤＴ、転送サイリスタＴ１がオン状態にある。
【０１６９】
（１１）時刻ｋ
時刻ｋにおいて、発光チップ群＃ｂに送信される消灯信号φＲｂが、「Ｌ」（−３．３Ｖ）から「Ｈｉ−Ｚ」に移行する。
＜発光チップＣａ１＞
発光チップＣａ１が属する発光チップ群＃ａに送信される信号に変化がないので、時刻ｈの直後の状態が維持される。
＜発光チップＣｂ１＞
発光チップＣｂ１の動作は、時刻ｄにおける発光チップＣａ１の動作と同様であるので、詳細な説明を省略する。
時刻ｋの直後においては、転送サイリスタＴ１がオン状態にある。
【０１７０】
（１２）時刻ｌ
時刻ｌにおいて、発光チップ群＃ｂに送信される許可信号φＥｂが、「Ｈ」（０Ｖ）から「Ｌ」（−３．３Ｖ）に移行する。
＜発光チップＣａ１＞
発光チップＣａ１が属する発光チップ群＃ａに送信される信号に変化がないので、時刻ｈの直後の状態が維持される。
＜発光チップＣｂ１＞
発光チップＣｂ１の動作は、時刻ｅにおける発光チップＣａ１の動作と同様であるので、詳細な説明を省略する。
時刻ｌの直後においては、転送サイリスタＴ１がオン状態にある。
【０１７１】
（１３）時刻ｍ
時刻ｍにおいて、発光チップ群＃ａの発光チップＣａ１と発光チップ群＃ｂの発光チップＣｂ１とが属する発光チップ組＃１に送信される設定信号φＷ１が、「Ｈ」（０Ｖ）から「Ｌ」（−３．３Ｖ）に移行する。
＜発光チップＣａ１＞
電流制限抵抗ＲＷを介して、設定信号線７４の電位が「Ｈ」（０Ｖ）から「Ｌ」（−３．３Ｖ）に移行する。設定信号線７４には、設定許可サイリスタＳ０、設定サイリスタＳのそれぞれのカソード端子が接続されている。設定許可サイリスタＳ０は、時刻ｈにおいてしきい電圧が−１．５Ｖになっているので、ターンオンする。
なお、前述したように、発光サイリスタＬ１がオン状態であるため、設定サイリスタＳ１のしきい電圧も−１．５Ｖになっている。よって、設定許可サイリスタＳ０の代わりに設定サイリスタＳ１がターンオンすることがありうる。また、設定許可サイリスタＳ０と設定サイリスタＳ１とがともにターンオンすることがありうる。発光サイリスタＬ１はオン状態であるので、設定サイリスタＳ１がターンオンしてもかまわない。これにより、設定信号線７４の電位が−１．５Ｖより低い電位（−１．６Ｖ）になる。
【０１７２】
時刻ｍの直後において、転送サイリスタＴ１、設定許可サイリスタＳ０（および／または設定サイリスタＳ１）がオン状態にあるとともに、発光サイリスタＬ１がオン状態で点灯（発光）している。
【０１７３】
＜発光チップＣｂ１＞
発光チップＣａ１の時刻ｆと同様に、設定サイリスタＳ１がターンオンし、次いで発光サイリスタＬ１がターンオンして点灯（発光）する。
時刻ｍの直後においては、転送サイリスタＴ１、設定サイリスタＳ１がオン状態にあるとともに、発光サイリスタＬ１がオン状態で点灯（発光）している。
【０１７４】
（１４）時刻ｎ
時刻ｎにおいて、発光チップ群＃ａの発光チップＣａ１と発光チップ群＃ｂの発光チップＣｂ１とが属する発光チップ組＃１に送信される設定信号φＷ１が、「Ｌ」（−３．３Ｖ）から「Ｈ」（０Ｖ）に移行する。
＜発光チップＣａ１＞
設定信号線７４の電位が「Ｈ」になって、オン状態にあった設定許可サイリスタＳ０（および／または設定サイリスタＳ１）は、カソード端子とアノード端子とがともに「Ｈ」になるので、ターンオフする。
しかし、オン状態の発光サイリスタＬ１はオン状態を維持する。なお、設定許可サイリスタＳ０および設定サイリスタＳ１のしきい電圧はともに−１．５Ｖである。
時刻ｎの直後においては、転送サイリスタＴ１がオン状態にあるとともに、発光サイリスタＬ１がオン状態で点灯（発光）している。
【０１７５】
＜発光チップＣｂ１＞
時刻ｇにおける発光チップＣａ１の動作と同様に、設定信号線７４が「Ｌ」から「Ｈ」になって、設定サイリスタＳ１がターンオフする。
時刻ｎの直後においては、転送サイリスタＴ１がオン状態にあるとともに、発光サイリスタＬ１がオン状態で点灯（発光）している。
【０１７６】
（１５）時刻ｏ
時刻ｏにおいて、発光チップ群＃ｂに送信される許可信号φＥｂが、「Ｌ」（−３．３Ｖ）から「Ｈ」（０Ｖ）に移行する。
＜発光チップＣａ１＞
発光チップＣａ１が属する発光チップ群＃ａに送信される信号に変化がないので、時刻ｎの直後の状態が維持される。
＜発光チップＣｂ１＞
発光チップ群＃ｂに送信される許可信号φＥｂが「Ｌ」（−３．３Ｖ）から「Ｈ」（０Ｖ）に移行すると、発光チップＣａ１における時刻ｈと同様に、許可信号線７６の電位が０Ｖになって、設定許可サイリスタＳ０のゲート端子Ｇｓ０の電位が０Ｖになる。そして、設定許可サイリスタＳ０のしきい電圧が−１．５Ｖになる。
時刻ｏの直後においては、転送サイリスタＴ１がオン状態にあるとともに、発光サイリスタＬ１がオン状態で点灯（発光）している。
【０１７７】
（１６）時刻ｐ
時刻ｐにおいて、発光チップ群＃ａに送信される消灯信号φＲａが、「Ｈｉ−Ｚ」から「Ｈ」に移行する。
＜発光チップＣａ１＞
消灯回路ＲＤにおいて、消灯サイリスタＲＴがターンオンする。すると、消灯サイリスタＲＴの主ゲート端子Ｇｒ１に接続された点灯信号線７５が、「Ｈ」（０Ｖ）になる（図９（ａ））。これにより、オン状態で点灯（発光）していた発光サイリスタＬ１がターンオフして、消灯する。
なお、点灯信号線７５が「Ｈ」（０Ｖ）になっても、電源線７１の電源電位Ｖｇａ（「Ｌ」（−３．３Ｖ））は電流制限抵抗ＲＩにより保持される。
【０１７８】
発光チップＣａ１の発光サイリスタＬ１は、時刻ｆの設定信号φＷ１が「Ｈ」から「Ｌ」に移行するタイミングで点灯（発光）（ターンオン）し、時刻ｐの消灯信号φＲａが「Ｈｉ−Ｚ」から「Ｈ」に移行するタイミングで消灯（ターンオフ）する。時刻ｆから時刻ｐまでの期間が、発光チップＣａ１の発光サイリスタＬ１の点灯（発光）期間に対応する。
時刻ｐの直後においては、消灯サイリスタＲＴ、転送サイリスタＴ１がオン状態にある。
【０１７９】
＜発光チップＣｂ１＞
発光チップＣｂ１が属する発光チップ群＃ｂに送信される信号に変化がないので、時刻ｏの直後の状態が維持される。
【０１８０】
（１７）時刻ｑ
時刻ｑにおいて、発光チップ群＃ａに送信される第２転送信号φ２ａが、「Ｈ」（０Ｖ）から「Ｌ」（−３．３Ｖ）に移行する。
＜発光チップＣａ１＞
しきい電圧が−３Ｖである転送サイリスタＴ２がターンオンし、第２転送信号線７３を−１．５Ｖより低い電位（−１．６Ｖ）に設定する。番号が４以上の偶数番目の転送サイリスタＴは、しきい電圧が−４．８Ｖであるので、ターンオンしない。
【０１８１】
転送サイリスタＴ２がターンオンすると、ゲート端子Ｇｔ２は「Ｈ」（０Ｖ）になる。すると、転送サイリスタＴ２のゲート端子Ｇｔ２に結合ダイオードＤ２を介して接続されたゲート端子Ｇｔ３の電位は−１．５Ｖになる。これにより、転送サイリスタＴ３のしきい電圧は−３Ｖになる。
【０１８２】
ゲート端子Ｇｔ２が「Ｈ」（０Ｖ）になると、ゲート端子Ｇｓ２の電位が−０．２８Ｖになり、設定サイリスタＳ２のしきい電圧が−１．７８Ｖになる。すると、ゲート端子Ｇｌ２の電位が−２．４８Ｖになり、発光サイリスタＬ２のしきい電圧が−３．９８Ｖになる。
時刻ｑの直後においては、消灯サイリスタＲＴ、転送サイリスタＴ１、転送サイリスタＴ２がオン状態にある。
【０１８３】
＜発光チップＣｂ１＞
発光チップＣｂ１が属する発光チップ群＃ｂに送信される信号に変化がないので、時刻ｏの直後の状態が維持される。
【０１８４】
（１８）時刻ｒ
時刻ｒにおいて、発光チップ群＃ａに送信される第１転送信号φ１ａが、「Ｌ」（−３．３Ｖ）から「Ｈ」（０Ｖ）に移行する。
＜発光チップＣａ１＞
オン状態にあった転送サイリスタＴ１は、カソード端子およびアノード端子がともに「Ｈ」となって、ターンオフする。
このとき、転送サイリスタＴ１のゲート端子Ｇｔ１は０Ｖのゲート端子Ｇｔ２に接続されているが、結合ダイオードＤ１は逆方向に電圧が印加（逆バイアス）されている。これにより、ゲート端子Ｇｔ２の電位が０Ｖである影響は、ゲート端子Ｇｔ１に及ばない。すなわち、逆バイアスの結合ダイオードＤで接続されたゲート端子Ｇｔには、他のゲート端子Ｇｔの電位の影響は及ばない。
また、転送サイリスタＴ１、設定サイリスタＳ１、発光サイリスタＬ１がすべてオフ状態であるので、ゲート端子Ｇｌ１、Ｇｓ１、Ｇｔ１は、接続抵抗Ｒｘ１、Ｒｙ１、Ｒｚ１を介して接続された電源線７１の電源電位Ｖｇａ（「Ｌ」（−３．３Ｖ））になる。よって、転送サイリスタＴ１、設定サイリスタＳ１、発光サイリスタＬ１のしきい電圧は−４．８Ｖとなる。
時刻ｒの直後においては、消灯サイリスタＲＴ、転送サイリスタＴ２がオン状態にある。
【０１８５】
＜発光チップＣｂ１＞
発光チップＣｂ１が属する発光チップ群＃ｂに送信される信号に変化がないので、時刻ｏの直後の状態が維持される。
【０１８６】
（１９）時刻ｓ
時刻ｓにおいて、発光チップ群＃ａに送信される消灯信号φＲａが、「Ｈ」（０Ｖ）から「Ｌ」（−３．３Ｖ）に移行する。これにより、発光チップ群＃ａの期間Ｔａ（１）が終了し、期間Ｔａ（１）が開始する。
＜発光チップＣａ１＞
時刻ｃにおけると同様に、消灯回路ＲＤにおいて、駆動サイリスタＤＴがターンオンするとともに、消灯サイリスタＲＴがターンオフする。これにより、点灯信号線７５は、「Ｈ」（０Ｖ）からＶｇａ端子の「Ｌ」（−３．３Ｖ）に移行する（図９（ａ））。
発光サイリスタＬ１、Ｌ２、Ｌ３、Ｌ４のしきい電圧は、それぞれ−４．８Ｖ、−３．９８Ｖ、−４．３５Ｖ、−４．７３Ｖである。また、番号が５以上の発光サイリスタＬのしきい電圧は−４．８Ｖである。よって、いずれの発光サイリスタＬもターンオンしない。
時刻ｓの直後においては、駆動サイリスタＤＴ、転送サイリスタＴ２がオン状態にある。
【０１８７】
第１転送信号φ１ａおよび第２転送信号φ２ａは、期間Ｔａ（１）に期間Ｔａ（２）を加えた期間を周期として変化する。このため、信号の波形は異なるが、期間Ｔａ（２）における発光チップＣａ１の動作は、時刻ｃから時刻ｓまでの期間Ｔａ（１）の繰り返しとなる。よって、期間Ｔａ（２）では、第１転送信号φ１ａ、第２転送信号φ２ａおよびこれらに関連する転送サイリスタＴの説明を除き、発光チップＣａ１の動作の説明を省略する。
【０１８８】
＜発光チップＣｂ１＞
発光チップＣｂ１が属する発光チップ群＃ｂに送信される信号に変化がないので、時刻ｏの直後の状態が維持される。
【０１８９】
（２０）時刻ｔ
時刻ｔにおいて、発光チップ群＃ｂに送信される消灯信号φＲｂが、「Ｈｉ−Ｚ」から「Ｈ」に移行する。
＜発光チップＣａ１＞
発光チップＣａ１が属する発光チップ群＃ａに送信される信号に変化がない。なお、時刻ｓから時刻ｔまでにおいて、発光サイリスタＬ２がターンオンして、点灯（発光）している。
時刻ｔの直後において、転送サイリスタＴ２がオン状態にあるとともに、発光サイリスタＬ２がオン状態で点灯（発光）している。
＜発光チップＣｂ１＞
消灯回路ＲＤにおいて、消灯サイリスタＲＴがターンオンする。すると、消灯サイリスタＲＴの主ゲート端子Ｇｒ１に接続された点灯信号線７５が、「Ｈ」（０Ｖ）になる（図９（ａ））。これにより、オン状態で点灯（発光）していた発光サイリスタＬ１がターンオフして、消灯する。
【０１９０】
発光チップＣｂ１の発光サイリスタＬ１は、時刻ｍの設定信号φＷ１が「Ｈ」から「Ｌ」に移行するタイミングで点灯（発光）（ターンオン）し、時刻ｔの消灯信号φＲｂが「Ｈｉ−Ｚ」から「Ｈ」に移行するタイミングで消灯（ターンオフ）する。時刻ｍから時刻ｔまでの期間が、発光チップＣｂ１の発光サイリスタＬ１の点灯（発光）期間に対応する。
時刻ｔの直後においては、消灯サイリスタＲＴ、転送サイリスタＴ１がオン状態にある。
【０１９１】
（２１）時刻ｕ
時刻ｕにおいて、発光チップ群＃ｂに送信される消灯信号φＲｂが「Ｈ」（０Ｖ）から「Ｌ」（−３．３Ｖ）に移行する。ここにおいて、発光チップ群＃ｂの発光サイリスタＬ１を点灯制御する期間Ｔｂ（１）が終了し、発光サイリスタＬ２を点灯制御する期間Ｔｂ（２）が開始する。
＜発光チップＣａ１＞
発光チップＣａ１が属する発光チップ群＃ａに送信される信号に変化がないので、時刻ｔの直後の状態が維持される。
＜発光チップＣｂ１＞
発光チップＣａ１における時刻ｓと同様に、駆動サイリスタＤＴがターンオンするとともに、消灯サイリスタＲＴがターンオフする。これにより、点灯信号線７５は、「Ｈ」（０Ｖ）からＶｇａ端子の「Ｌ」（−３．３Ｖ）に移行する（図９（ａ））。
時刻ｕの直後においては、駆動サイリスタＤＴ、転送サイリスタＴ１がオン状態にある。
【０１９２】
（２２）時刻ｖ
時刻ｖにおいて、発光チップＣａ１が属する発光チップ群＃ａへ送信される第１転送信号φ１ａが「Ｈ」（０Ｖ）から「Ｌ」（−３．３Ｖ）に移行する。
＜発光チップＣａ１＞
しきい電圧が−３Ｖであった転送サイリスタＴ３がターンオンする。これにより、ゲート端子Ｇｔ３は「Ｈ」（０Ｖ）になる。そして、ゲート端子Ｇｔ４の電位は−１．５Ｖになり、転送サイリスタＴ４のしきい電圧は−３Ｖになる。
なお、時刻ｖの直後においては、消灯サイリスタＲＴ、転送サイリスタＴ２、Ｔ３がオン状態にある。
【０１９３】
＜発光チップＣｂ１＞
発光チップＣｂ１が属する発光チップ群＃ｂに送信される信号に変化がない。時刻ｕから時刻ｖまでに、発光サイリスタＬ２がターンオンして、点灯（発光）している。
なお、時刻ｖの直後においては、転送サイリスタＴ２がオン状態にあるとともに、発光サイリスタＬ２がオン状態で点灯（発光）している。
【０１９４】
（２３）時刻ｗ
時刻ｗにおいて、発光チップＣａ１が属する発光チップ群＃ａへ送信される第２転送信号φ２ａが「Ｌ」（−３．３Ｖ）から「Ｈ」（０Ｖ）に移行する。
＜発光チップＣａ１＞
オン状態にあった転送サイリスタＴ２は、カソード端子およびアノード端子がともに「Ｈ」となるので、ターンオフする。
時刻ｗの直後においては、消灯サイリスタＲＴ、転送サイリスタＴ３がオン状態にある。
＜発光チップＣｂ１＞
発光チップＣｂ１が属する発光チップ群＃ｂに送信される信号に変化がないので、時刻ｖの直後の状態が維持されている。
【０１９５】
（２４）その他
時刻ｘにおいて、発光チップＣａ１の発光サイリスタＬ２を点灯制御する期間Ｔａ（２）が終了し、発光サイリスタＬ３を点灯制御する期間Ｔａ（３）が開始する。時刻ｙにおいて、発光チップＣｂ１の発光サイリスタＬ２を点灯制御する期間Ｔｂ（２）が終了し、発光サイリスタＬ３を点灯制御する期間Ｔｂ（３）が開始する。
時刻ｚにおいて、発光チップＣａ１の発光サイリスタＬ３を点灯制御する期間Ｔａ（３）が終了し、発光サイリスタＬ４を点灯制御する期間Ｔａ（４）が開始する。
以下同様に、発光チップＣのすべての発光サイリスタＬの点灯制御が行われる。
【０１９６】
以上説明した発光チップＣの動作をまとめて説明する。
はじめに転送サイリスタＴの動作を説明する。
第１の実施の形態における発光チップＣでは、２相の転送信号（第１転送信号φ１および第２転送信号φ２）により、転送サイリスタＴのオン状態を順に移している。
すなわち、２相の転送信号の内の一方の転送信号が「Ｌ」（−３．３Ｖ）になることにより、一方の転送信号がカソード端子に送信された転送サイリスタＴがオン状態になり、そのゲート端子Ｇｔが「Ｈ」（０Ｖ）になる。「Ｈ」（０Ｖ）になったゲート端子Ｇｔと順バイアスの結合ダイオードＤで接続された隣接する転送サイリスタＴのゲート端子Ｇｔの電位が−１．５Ｖになる。これにより、転送サイリスタＴは、しきい電圧が上昇（例えば、−４．５Ｖから−３Ｖ）し、他方の転送信号が「Ｌ」（−３．３Ｖ）となるタイミングでオン状態になる。
つまり、２相の転送信号（第１転送信号φ１および第２転送信号φ２）を、「Ｌ」（−３．３Ｖ）の期間が重なる（図１０における時刻ｑから時刻ｒまでの期間）ように、位相をずらして送信することにより、転送サイリスタＴを順次オン状態に設定する。
【０１９７】
そして、転送サイリスタＴがオン状態になって、ゲート端子Ｇｔが「Ｈ」（０Ｖ）になると、ゲート端子Ｇｔに接続抵抗Ｒｘを介して接続された設定サイリスタＳのゲート端子Ｇｓの電位が−０．２８Ｖになり、設定サイリスタＳのしきい電圧が−１．７８Ｖとなる。
【０１９８】
そして、許可信号φＥが「Ｌ」（−３．３Ｖ）である期間に、設定信号φＷ（設定信号φＷ１〜φＷ２０）が「Ｈ」（０Ｖ）から「Ｌ」に移行すると、設定信号線７４の電位が「Ｌ」（−３．３Ｖ）になって、しきい電圧が−１．７８Ｖの設定サイリスタＳがターンオンする。
【０１９９】
設定サイリスタＳがターンオンして、ゲート端子Ｇｓの電位が０Ｖになると、接続抵抗Ｒｙを介して接続されたゲート端子Ｇｌの電位が−０．３９Ｖになり、発光サイリスタＬのしきい電圧が−１．８９Ｖになる。
このとき、消灯サイリスタＲＴおよび駆動サイリスタＤＴがオフ状態であって、点灯信号線７５は、電源線７１の電源電位Ｖｇａ（「Ｌ」（−３．３Ｖ））になっている。よって、しきい電圧が−１．８９Ｖの発光サイリスタＬがターンオンして、点灯（発光）する。
【０２００】
そして、発光サイリスタＬがオン状態のとき、消灯信号φＲを「Ｈｉ−Ｚ」から「Ｈ」（０Ｖ）に移行すると、消灯サイリスタＲＴがターンオンする。これにより、消灯サイリスタＲＴの主ゲート端子Ｇｒ１が「Ｈ」（０Ｖ）になって、点灯信号線７５を「Ｈ」（０Ｖ）に引き込む。よって、オン状態にあった発光サイリスタＬがターンオフする。
すなわち、発光サイリスタＬの点灯期間は、設定信号φＷ（設定信号φＷ１〜φＷ２０）が、「Ｈ」から「Ｌ」になるタイミング（時刻）から、消灯信号φＲが「Ｈｉ−Ｚ」から「Ｌ」になる時刻（例えば、図１０における時刻ｆから時刻ｐ）までとなる。
【０２０１】
次に、設定許可サイリスタＳ０の動作について説明する。
許可信号φＥは許可信号線７６を介して、設定許可サイリスタＳ０のゲート端子Ｇｓ０に送信される。許可信号φＥが「Ｌ」（−３．３Ｖ）であると、設定許可サイリスタＳ０のしきい電圧が−４．８Ｖとなる。このため、設定信号φＷ（設定信号φＷ１〜φＷ２０）が「Ｌ」（−３．３Ｖ）になっても、設定許可サイリスタＳ０はターンオンせず、しきい電圧が−１．７８Ｖの設定サイリスタＳがターンオンする。
【０２０２】
一方、許可信号φＥが「Ｈ」（０Ｖ）であると、設定許可サイリスタＳ０は、ゲート端子Ｇｓ０の電位が０Ｖとなり、しきい電圧が−１．５Ｖとなる。このため、設定信号φＷ（設定信号φＷ１〜φＷ２０）が「Ｌ」（−３．３Ｖ）になると、設定許可サイリスタＳ０がターンオンする。これにより、しきい電圧が−１．７８Ｖの設定サイリスタＳはターンオンできない。
すなわち、許可信号φＥを「Ｌ」とすることで、設定許可サイリスタＳ０をオフ状態に設定して、発光チップＣが点灯することを許可し、「Ｈ」とすることで、設定許可サイリスタＳ０をオン状態に設定して、発光チップＣが点灯することを阻止する。許可信号φＥａは、発光チップ群＃ａの発光チップＣの点灯を許可または阻止するイネーブル信号／ディセーブル信号として、許可信号φＥｂは、発光チップ群＃ｂの発光チップＣの点灯を許可または阻止するイネーブル信号／ディセーブル信号として機能する。
【０２０３】
さらにまた、発光チップ群＃ａの発光チップＣａおよび発光チップ群＃ｂの発光チップＣｂの点灯制御について説明する。
第１の実施の形態では、発光チップ群＃ａに属する発光チップＣと発光チップ群＃ｂに属する発光チップＣとから構成される発光チップ組に対して、それぞれの発光チップＣの発光サイリスタＬを共に点灯（発光）させるときは、共通に送信する設定信号φＷ（設定信号φＷ１〜φＷ２０）に「Ｌ」になる期間を２つ設けた（図１０の時刻ｆから時刻ｇまでの期間および時刻ｍから時刻ｎまでの期間）。２つのうち、前の「Ｌ」の期間は発光チップ群＃ａの発光チップＣに対して、後の「Ｌ」の期間は発光チップ群＃ｂの発光チップＣに対して、点灯の開始を設定する。
すなわち、発光チップ群＃ａの発光チップＣの点灯を許可する許可信号φＥａが「Ｌ」の期間に、設定信号φＷの前の「Ｌ」の期間を設け、発光チップ群＃ｂの発光チップＣの点灯を許可する許可信号φＥｂが「Ｌ」の期間に、設定信号φＷの後の「Ｌ」の期間を設けている。このようにすることで、発光チップ群＃ａに属する発光チップＣと発光チップ群＃ｂに属する発光チップＣとから構成される発光チップ組に対して、設定信号φＷを共通にすることができる。
なお、発光チップ群＃ａの発光チップＣの点灯を許可する許可信号φＥａの「Ｌ」の期間が、発光チップ群＃ｂの発光チップＣに送信する設定信号φＷの「Ｌ」の期間とは重ならないようにしている。許可信号φＥｂについては逆の関係となるようにしている。
【０２０４】
そして、本実施の形態では、発光チップ群＃ａと発光チップ群＃ｂとで、それぞれに送信する転送信号（第１転送信号φ１ａ、φ１ｂおよび第２転送信号φ２ａ、φ２ｂ）、許可信号φＥ（許可信号φＥａ、φＥｂ）および消灯信号φＲ（消灯信号φＲａ、φＲｂ）の位相を１８０°ずらしている。これにより、設定信号φＷ（設定信号φＷ１〜φＷ２０）にそれぞれ設けた２つの「Ｌ」の期間を設定するための期間の幅（マージン）を最大にしている。
すなわち、位相を１８０°ずらしているので、設定信号φＷ（設定信号φＷ１〜φＷ２０）にそれぞれ設ける２つの「Ｌ」の時刻は、それぞれ期間Ｔの前半の１／２と後半の１／２の期間に設ければよい。
【０２０５】
さらに、発光サイリスタＬを点灯させない場合を説明する。
図１０の発光チップ組＃２に送信される設定信号φＷ２は、一部の発光サイリスタＬを点灯させない場合を示している。すなわち、発光チップＣａ２において、発光サイリスタＬ２、Ｌ３、Ｌ４を点灯させるとし、発光サイリスタＬ１を点灯させない（非点灯）とし、発光チップＣｂ２において、発光サイリスタＬ１、Ｌ３、Ｌ４を点灯させるとし、発光サイリスタＬ２は点灯させない（非点灯）とした。
発光サイリスタＬを点灯させないときは、点灯させる場合に「Ｈ」から「Ｌ」に移行させる時刻（タイミング）（たとえば、時刻ｆ）において、設定信号φＷ（設定信号φＷ１〜φＷ２０）を「Ｈ」（０Ｖ）から「Ｌ」（−３．３Ｖ）に移行させず、「Ｈ」（０Ｖ）のままに維持する。すると、設定サイリスタＳはターンオンせず、ゲート端子Ｇｌの電圧が−２．４８Ｖに維持される。このため、発光サイリスタＬは、しきい電圧が−３．９８Ｖが維持され、ターンオンしない。
【０２０６】
図１０の時刻ｆにおいて、設定信号φＷ２を「Ｈ」（０Ｖ）のままに維持している。よって、発光チップＣａ２の発光サイリスタＬ１は点灯しない。また発光チップＣｂ２の発光サイリスタＬ２についても同様である。
なお、発光サイリスタＬを点灯させない場合には、点灯信号線７５は−１．９Ｖに移行せず、電源線７１の「Ｌ」（−３．３Ｖ）に維持される。この場合であっても、消灯信号φＲが「Ｈｉ−Ｚ」から「Ｈ」（０Ｖ）に移行すると、消灯サイリスタＲＴがターンオンして、点灯信号線７５を「Ｈ」（０Ｖ）に設定する（引き込む）。
【０２０７】
なお、発光サイリスタＬの発する発光量は、製造条件のばらつきなどにより、発光チップＣ間、発光サイリスタＬ間で異なることがある。このため、発光サイリスタＬの発光量を補正（光量補正）することが行われる。光量補正の方法には、発光サイリスタＬに流す電流を調整して行う方法と、発光サイリスタＬの点灯期間を調整して行う方法とがある。
前述したように、発光サイリスタＬの点灯期間は、設定信号φＷが「Ｈ」から「Ｌ」に移行して発光サイリスタＬをターンオンする時刻から、消灯信号φＲが「Ｈｉ−Ｚ」から「Ｈ」に移行して発光サイリスタＬをターンオフ（消灯）する時刻までである。
よって、点灯期間を調整して光量補正を行う場合には、図１０における設定信号φＷ１〜φＷ２０が「Ｈ」から「Ｌ」になる時刻（タイミング）を前後に調整（ずらす）すればよい。
【０２０８】
以上のように、第１の実施の形態における発光チップＣの発光サイリスタＬは、それぞれ個別に点灯制御される。
なお、図１０に示したタイミングチャートは一例であって、タイミング（時刻）を変更してもよい。例えば、時刻ｐから始まる消灯信号φＲａの「Ｈ」の期間とそれに引き続く「Ｌ」の期間を、時刻ｑまたは時刻ｒの後に設定してもよい。このとき、転送サイリスタＴ２がオン状態にあるが、発光サイリスタＬ２は、しきい電圧は−３．９８Ｖであって、点灯信号線７５の電位が「Ｌ」（−３．３Ｖ）であってもターンオンしない。よって、発光装置６５および発光チップＣは、上記で説明したと同様に動作する。
【０２０９】
図１１は、消灯信号φＲに「Ｈｉ−Ｚ」の状態を設けない場合の、発光装置６５および発光チップＣの動作を説明するためのタイミングチャートである。図１０における消灯信号φＲａおよび消灯信号φＲｂにおいて、「Ｈｉ−Ｚ」を「Ｌ」にすればよい。なお、消灯信号φＲが「Ｌ」である期間では、駆動サイリスタＤＴがオン状態にあって、駆動サイリスタＤＴから電流制限抵抗Ｒｒｅを介してφＲ端子に電流が流れ続ける。
よって、消灯信号φＲに「Ｈｉ−Ｚ」を設けると、「Ｈｉ−Ｚ」である期間では、駆動サイリスタＤＴがオフ状態にあるため、上記の電流が流れない。このため、消灯信号φＲに「Ｈｉ−Ｚ」を設ける場合は、消灯信号φＲに「Ｈｉ−Ｚ」を設けない場合に比べ、発光装置６５における消費電力が抑制される。
【０２１０】
以上説明したように、第１の実施の形態においては、点灯信号線７５が電流制限抵抗ＲＩを介して電源線７１に接続され、点灯信号線７５の電位は消灯サイリスタＲＴのオンオフで制御される。すなわち、発光サイリスタＬの点灯のための電流は、電源ライン２００ａ、２００ｂを介して供給される。よって、発光装置６５において、発光サイリスタＬの点灯のための電流を供給する点灯信号ラインを設ける代わりに、消灯信号ライン２０４ａ、２０４ｂを設けている。
【０２１１】
発光サイリスタＬを点灯させるための電流は、例えば２０ｍＡと大きい。発光チップ群＃ａ、＃ｂのそれぞれの発光チップＣの数を２０個とすると、発光チップ群＃ａの発光サイリスタＬを点灯させるために供給する電流値は４００ｍＡとなる。発光チップ群＃ｂも同様である。この電流値は、前述したように１つのバッファ回路（ゲート）により供給することができない。よって、点灯信号ラインを別途設けると、抵抗値の小さい幅の広い点灯信号ラインを複数設けることになり、回路基板６２が大きくなってしまう。
【０２１２】
これに対し、第１の実施の形態における消灯信号φＲは、発光チップ群＃ａ、＃ｂのそれぞれの発光チップＣの数を２０個とした場合に、発光チップ群＃ａ、＃ｂのそれぞれに対して２０ｍＡの電流を供給すればよい。これらの電流は、それぞれを例えば３ステートバッファＢｕｆなどの１つのバッファ回路（ゲート）により供給することができる。
よって、消灯信号φＲを供給する消灯信号ライン２０４ａ、２０４ｂは、発光サイリスタＬを点灯させるための電流を供給する点灯信号ラインを設ける場合に比べ、数が少ないとともに、幅も狭くともよい。よって、回路基板６２の幅が小さくなる。
これにより、発光装置６５、プリントヘッド１４、画像形成装置１が小型化する。
【０２１３】
［第２の実施の形態］
第２の実施の形態では、第１の実施の形態と発光チップＣの構成が異なっている。他の構成は、第１の実施の形態と同様である。よって、第１の実施の形態と異なる部分を説明し、同様な部分の説明を省略する。
図１２は、第２の実施の形態における発光チップＣの平面レイアウト図および断面図である。図１２（ａ）は、発光チップＣの平面レイアウト図であって、発光サイリスタＬ１〜Ｌ４、設定サイリスタＳ１〜Ｓ４、転送サイリスタＴ１〜Ｔ４を中心とした部分を示している。図１２（ｂ）は、図１２（ａ）に示したＸＩＩＢ−ＸＩＩＢ線での断面図である。
第２の実施の形態においては、第１１アイランド３１１に設けられた駆動サイリスタＤＴの構成が、第１の実施の形態と異なっている。また、第２の実施の形態は、第１６アイランド３１６をさらに備えている。第１６アイランド３１６には、電流制限抵抗Ｒａｇが設けられている。
【０２１４】
第１１アイランド３１１に設けられた駆動サイリスタＤＴは、ｐ型の基板８０上のｐ型の第１半導体層８１をアノード端子とし、ｎ型の第４半導体層８４の領域３２８上に設けられたｎ型オーミック電極３４９をカソード端子Ｋｄとし、ｎ型の第４半導体層８４の領域３２８を“コ”字状に取り囲むように設けられたｐ型オーミック電極３６９を主ゲート端子Ｇｄ１とし、“コ”字の開いた部分に設けられたｐ型オーミック電極３７０を補助ゲート端子Ｇｄ２としている。
第１６アイランド３１６に設けられた電流制限抵抗Ｒａｇは、第１２アイランド３１２に設けられた電流制限抵抗Ｒｃと同様に、ｐ型の第３半導体層８３上に設けられた１組のｐ型オーミック電極（符号なし）間のｐ型の第３半導体層８３を抵抗として形成されている。
【０２１５】
そして、第１１アイランド３１１に設けられた駆動サイリスタＤＴの主ゲート端子Ｇｄ１は、消灯サイリスタＲＴのカソード端子Ｋｒ１であるｎ型オーミック電極３４７に接続されている。補助ゲート端子Ｇｄ２は、電流制限抵抗Ｒａｇの一方の端子に接続されている。電流制限抵抗Ｒａｇの他方の端子は点灯信号線７５に接続されている。
【０２１６】
図１３は、第２の実施の形態における消灯回路ＲＤの平面レイアウト図および断面図である。図１３（ａ）は消灯回路ＲＤの平面図、図１３（ｂ）は、図１３（ａ）のＸＩＩＩＢ−ＸＩＩＩＢ線での消灯サイリスタＲＴの断面図である。消灯サイリスタＲＴの平面図は、図１２（ａ）に示したが、断面図との対比のために図１３（ａ）にも示している。
消灯回路ＲＤの構成および接続関係は、前述したので、省略する。
なお、図１３（ｂ）では、主ゲート端子Ｇｄ１（ｐ型オーミック電極３６９）に対向するｎ型の第４半導体層の領域３２８の端を位置ξとし、補助ゲート端子Ｇｄ２（ｐ型オーミック電極３７０）に対向するｎ型の第４半導体層の領域３２８の端を位置ηとする。
そして、図１３（ｂ）に示すように、第２の実施の形態においても、第１の実施の形態と同様に、消灯信号発生部１４０（消灯信号発生部１４０ａまたは消灯信号発生部１４０ｂ）は３ステートバッファＢｕｆを備え、３ステートバッファＢｕｆが消灯信号φＲを送信する。
【０２１７】
＜消灯回路ＲＤの動作＞
第２の実施の形態における消灯回路ＲＤの動作について説明する。
図１３を参照しつつ、図９（ａ）により、消灯信号φＲに対する消灯サイリスタＲＴ、駆動サイリスタＤＴ、点灯信号線７５のそれぞれの状態を説明する。
まず、消灯サイリスタＲＴがオフ状態にあって、消灯信号φＲが「Ｈｉ−Ｚ」であるとする。すると、第１の実施の形態と同様に、消灯サイリスタＲＴのカソード端子Ｋｒ１（ｎ型オーミック電極３４７）、Ｋｒ２（ｎ型オーミック電極３４８）は、それぞれ電流制限抵抗Ｒｃ、Ｒａｃを介して、Ｖｇａ端子（「Ｌ」（−３．３Ｖ））に接続されているので、「Ｌ」（−３．３Ｖ）である。また、補助ゲート端子Ｇｒ２（ｐ型オーミック電極３６８）も、電流制限抵抗Ｒｒｓを介して、Ｖｇａ端子（「Ｌ」（−３．３Ｖ））に接続されているので、「Ｌ」（−３．３Ｖ）である。
そして、消灯信号φＲが「Ｈｉ−Ｚ」であるので、駆動サイリスタＤＴのカソード端子Ｋｄ（ｎ型オーミック電極３４９）は、電流制限抵抗Ｒｒｅおよび電流制限抵抗Ｒｒｓを介してＶｇａ端子（「Ｌ」（−３．３Ｖ））に接続されていることから、「Ｌ」（−３．３Ｖ）である。同様に、駆動サイリスタＤＴの主ゲート端子Ｇｄ１（ｐ型オーミック電極３６９）は、消灯サイリスタＲＴのカソード端子Ｋｒ１（ｎ型オーミック電極３４７）に接続されているので、「Ｌ」（−３．３Ｖ）である。また、駆動サイリスタＤＴの補助ゲート端子Ｇｄ２（ｐ型オーミック電極３７０）は、電流制限抵抗Ｒａｇを介して、点灯信号線７５に接続されているので、「Ｌ」（−３．３Ｖ）である。よって、カソード端子Ｋｄ（ｎ型オーミック電極３４９）と主ゲート端子Ｇｄ１（ｐ型オーミック電極３６９）および補助ゲート端子Ｇｄ２（ｐ型オーミック電極３７０）とが同電位であるため、駆動サイリスタＤＴは、ターンオンできずオフ状態を維持する。
そして、点灯信号線７５は、電流制限抵抗ＲＩを介してＶｇａ端子（「Ｌ」（−３．３Ｖ））に接続されているので、「Ｌ」（−３．３Ｖ）である。よって、点灯信号線７５に接続された消灯サイリスタＲＴの主ゲート端子Ｇｒ１も「Ｌ」（−３．３Ｖ）である。
【０２１８】
すなわち、消灯サイリスタＲＴがオフ状態であって、消灯信号φＲが「Ｈｉ−Ｚ」であるときは、駆動サイリスタＤＴもオフ状態である。そして、消灯サイリスタＲＴのカソード端子Ｋｒ１（ｎ型オーミック電極３４７）、Ｋｒ２（ｎ型オーミック電極３４８）、主ゲート端子Ｇｒ１（ｐ型オーミック電極３６７）、補助ゲート端子Ｇｒ２（ｐ型オーミック電極３６８）はすべて「Ｌ」（−３．３Ｖ）である。
また、駆動サイリスタＤＴのカソード端子Ｋｄ（ｎ型オーミック電極３４９）および主ゲート端子Ｇｄ１（ｐ型オーミック電極３６９）、補助ゲート端子Ｇｄ２（ｐ型オーミック電極３７０）も「Ｌ」（−３．３Ｖ）である。
【０２１９】
消灯信号φＲが「Ｈｉ−Ｚ」から「Ｈ」（０Ｖ）に移行すると、第１の実施の形態と同様にして、消灯サイリスタＲＴがオン状態になる。そして、カソード端子Ｋｒ１（ｎ型オーミック電極３４７）、Ｋｒ２（ｎ型オーミック電極３４８）がアノード端子の電位（０Ｖ）から拡散電位Ｖｄ（−１．５Ｖ）を引いた−１．５Ｖに近い電位（−１．６Ｖ）に移行する。
【０２２０】
すると、駆動サイリスタＤＴの主ゲート端子Ｇｄ１（ｐ型オーミック電極３６９）が−１．６Ｖになる。また、駆動サイリスタＤＴの補助ゲート端子Ｇｄ２（ｐ型オーミック電極３７０）が「Ｈ」（０Ｖ）になる。すると、電位が位置によって異なる影響を受けて、駆動サイリスタＤＴの位置ξでのしきい電圧は−３．１Ｖより高く（ただし、−１．５Ｖより低い）なり、位置ηでのしきい電圧は−１．５Ｖより低く（ただし、−３．１Ｖより高い）なる。
すなわち、駆動サイリスタＤＴは、補助ゲート端子Ｇｄ２近傍のしきい電圧が主ゲート端子Ｇｄ１近傍のしきい電圧より高くなる。
【０２２１】
次に、消灯信号φＲを「Ｈ」（０Ｖ）から「Ｌ」（−３．３Ｖ）に移行すると、駆動サイリスタＤＴのしきい電圧が−１．５Ｖより低い（ただし、−３．１Ｖより高い）位置ηから、ターンオンが始まる。そして、しきい電圧が−３．１Ｖより高い（ただし、−１．５Ｖより低い）位置ηに向かって、ターンオンが進んでいく。このようにして、駆動サイリスタＤＴのｎ型の第４半導体層８４の領域３２８の全域において、ターンオンする。
【０２２２】
駆動サイリスタＤＴがオン状態になると、駆動サイリスタＤＴの主ゲート端子Ｇｄ１（ｐ型オーミック電極３６９）が「Ｈ」（０Ｖ）に設定され、消灯サイリスタＲＴのカソード端子Ｋｒ１（ｎ型オーミック電極３４７）が「Ｈ」（０Ｖ）になる。そして、寄生抵抗Ｒｐを介して、カソード端子Ｋｒ２（ｎ型オーミック電極３４８）が「Ｈ」（０Ｖ）になる。すなわち、消灯サイリスタＲＴのカソードとして働くｎ型の第４半導体層８４の領域３２７の全域が「Ｈ」（０Ｖ）になり、消灯サイリスタＲＴがターンオフする。消灯サイリスタＲＴがオフ状態になると、「Ｈ」（０Ｖ）であった点灯信号線７５は、電流制限抵抗ＲＩを介して、Ｖｇａ端子の電源電位Ｖｇａ（「Ｌ」（−３．３Ｖ））になる。また、補助ゲート端子Ｇｒ２（ｐ型オーミック電極３６８）も「Ｌ」（−３．３Ｖ）になるので、消灯サイリスタＲＴのしきい電圧は−４．８Ｖとなる。
【０２２３】
そして、消灯信号φＲを「Ｌ」（−３．３Ｖ）から「Ｈｉ−Ｚ」に移行すると、駆動サイリスタＤＴがターンオフする。なお、消灯サイリスタＲＴの補助ゲート端子Ｇｒ２（ｐ型オーミック電極３６８）は、電流制限抵抗Ｒｒｓを介して、Ｖｇａ端子の「Ｌ」（−３．３Ｖ）に維持されるので、「Ｌ」（−３．３Ｖ）である。よって、消灯サイリスタＲＴのしきい電圧は−４．８Ｖであって、消灯サイリスタＲＴはオフ状態を維持する。
このようにして、消灯サイリスタＲＴおよび駆動サイリスタＤＴがともにオフであって、点灯信号線７５が電源電位Ｖｇａの「Ｌ」（−３．３Ｖ）である状態に戻る。
【０２２４】
前述したように、第２の実施の形態では、消灯サイリスタＲＴがオン状態になることにより、主ゲート端子Ｇｒ１（ｐ型オーミック電極３６７）が「Ｈ」（０Ｖ）になって、オン状態の発光サイリスタＬに流れる電流が主ゲート端子Ｇｒ１に引き込まれることにより、点灯信号線７５が「Ｈ」（０Ｖ）に設定される。このとき、電流制限抵抗Ｒａｇを介して点灯信号線７５に接続された駆動サイリスタＤＴの補助ゲート端子Ｇｄ２も「Ｈ」（０Ｖ）に設定される。これにより、駆動サイリスタＤＴの位置ηにおけるしきい電圧が−１．５Ｖより低い（ただし、−３．１Ｖより高い）電位になる。このしきい電圧は、第１の実施の形態におけるしきい電圧である−３．１Ｖより高い。
このことから、第２の実施の形態では、消灯信号φＲを「Ｈ」（０Ｖ）から「Ｌ」（−３．３Ｖ）に移行したときに、第１の実施の形態に比べ、より速やかに駆動サイリスタＤＴがターンオンする。すなわち、駆動サイリスタＤＴに補助ゲート端子Ｇｄ２を設けることで、発光チップＣの動作速度を向上させている。
【０２２５】
なお、発光装置６５および発光チップＣは、第１の実施の形態と同様に動作する。よって、詳細な説明を省略する。
【０２２６】
第１の実施の形態および第２の実施の形態において、接続抵抗Ｒｘ、接続抵抗Ｒｙ、接続抵抗Ｒｚの抵抗値を設定して説明したが、これらの抵抗値は例であって、他の抵抗値であってもよい。
【０２２７】
また、第１の実施の形態および第２の実施の形態において、発光チップＣは、転送サイリスタＴ、設定サイリスタＳ、発光サイリスタＬを備え、それぞれのゲート端子Ｇｔ、Ｇｓ、Ｇｔが接続抵抗Ｒｘ、Ｒｙ、Ｒｚで順に接続される構成とした。しかし、転送サイリスタＴ、設定サイリスタＳ、発光サイリスタＬのそれぞれのゲート端子Ｇｔ、Ｇｓ、Ｇｔがそれぞれ接続抵抗を介して、電源線７１に接続される構成であってもよい。また、発光部１０２、転送部１０３、設定部１０４が他の構成であってもよい。
【０２２８】
そして、第１の実施の形態および第２の実施の形態において、転送サイリスタＴのゲート端子Ｇｔ間を接続する電気的手段として結合ダイオードＤを用いたが、一方の端子の電位の変化が他方の端子の電位の変化を生じるものであればよく、抵抗などであってもよい。
【０２２９】
また、第１の実施の形態および第２の実施の形態において、転送サイリスタＴを第１転送信号φ１と第２転送信号φ２の２相で駆動したが、転送サイリスタＴを３個置きに３相の転送信号を送信して駆動してもよい。同様にして、４相以上の転送信号を送信しても駆動してもよい。
【０２３０】
そしてまた、第１の実施の形態および第２の実施の形態において、それぞれの発光チップＣには自己走査型発光素子アレイ（ＳＬＥＤ）が１個搭載されているとしたが、２個以上であってもよい。
【０２３１】
さらに、第１の実施の形態および第２の実施の形態において、発光チップ群を発光チップ群＃ａと発光チップ群＃ｂの２個としたが、図５において、発光チップ群＃ａおよび発光チップ群＃ｂに並列に発光チップ群＃ｃ、…を加えて、３個以上としてもよい。
同様に、発光チップ組を２０個としたが、それ以外であってもよい。
さらにまた、発光チップ群を構成する発光チップＣの数および発光チップ組を構成する発光チップＣの数を同じとしたが、異なってもよい。また、発光チップ組を構成する発光チップＣは、それぞれが異なる発光チップ群に属しているとしたが、同じ発光チップ群に属する発光チップＣを含んでいてもよい。
【０２３２】
第１の実施の形態および第２の実施の形態において、サイリスタ（転送サイリスタＴ、設定サイリスタＳ、設定許可サイリスタＳ０、発光サイリスタＬ、消灯サイリスタＲＴ、駆動サイリスタＤＴ）は、アノード端子を共通にしたアノードコモンとして説明した。カソード端子を共通にしたカソードコモンも、回路の極性を変更することによって用いうる。
【符号の説明】
【０２３３】
１…画像形成装置、１０…画像形成プロセス部、１１…画像形成ユニット、１２…感光体ドラム、１４…プリントヘッド、３０…画像出力制御部、４０…画像処理部、６２…回路基板、６３…光源部、６４…ロッドレンズアレイ、６５…発光装置、１０２…発光部、１０３…転送部、１０４…設定部、１０５…消灯部、１１０…信号発生回路、１２０、１２０ａ、１２０ｂ…転送信号発生部、１３０、１３０ａ、１３０ｂ…許可信号発生部、１４０、１４０ａ、１４０ｂ…消灯信号発生部、１５０…設定信号発生部、１６０…基準電位供給部、１７０…電源電位供給部、φ１（φ１ａ、φ１ｂ）…第１転送信号、φ２（φ２ａ、φ２ｂ）…第２転送信号、φＥ（φＥａ、φＥｂ）…許可信号、φＲ（φＲａ、φＲｂ）…消灯信号、φＷ（φＷ１〜φＷ２０）…設定信号、Ｃａ１〜Ｃａ２０、Ｃｂ１〜Ｃｂ２０…発光チップ、Ｄ…結合ダイオード、Ｄ０…スタートダイオード、ＤＴ…駆動サイリスタ、Ｌ…発光サイリスタ、ＲＴ…消灯サイリスタ、Ｒｘ、Ｒｙ、Ｒｚ…接続抵抗、Ｓ…設定サイリスタ、Ｓ０…設定許可サイリスタ、Ｔ…転送サイリスタ、Ｖｇａ…電源電位、Ｖｓｕｂ…基準電位
【図１】
0005857831.tif 000002
【図２】
0005857831.tif 000003
【図３】
0005857831.tif 000004
【図４】
0005857831.tif 000005
【図５】
0005857831.tif 000006
【図６】
0005857831.tif 000007
【図７】
0005857831.tif 000008
【図８】
0005857831.tif 000009
【図９】
0005857831.tif 000010
【図１０】
0005857831.tif 000011
【図１１】
0005857831.tif 000012
【図１２】
0005857831.tif 000013
【図１３】
0005857831.tif 000014